(57)【要約】【課題】低コストで従業員等の位置を特定し勤務データを作成可能なシステムの提供。【解決手段】近距離無線方式で仕事場所又は仕事外の場所に備えられるＯＮ信号又はＯＦＦ信号を含むステータス情報を発信するステータス情報発信部を備えたステータス情報発信装置と、ステータス情報発信装置からのステータス情報を受信するステータス情報受信部と、受信したステータス情報を勤務管理サーバに転送するステータス情報転送部と、を有するユーザ携帯端末と、ステータス情報の転送を受けるステータス情報転送受信部と、ステータス情報に基づいてユーザが仕事中であるか、仕事外であるかの受付ステータスを保持する受付ステータス保持部と、受付ステータスに基づいてユーザが仕事中であるか否かを決定した結果ステータスを保持する結果ステータス保持部と、を有する勤務管理サーバと、からなる勤務管理システムを提供する。【選択図】図２
2018120278.tif 000002
【特許請求の範囲】
【請求項１】
近距離無線方式で少なくとも後記する勤務管理サーバにて仕事中又は仕事外のステータスを得るために利用される仕事場所又は仕事外の場所に配置されるＯＮ信号又はＯＦＦ信号を含むステータス情報を発信するステータス情報発信部を備えたステータス情報発信装置と、
ステータス情報発信装置からのステータス情報を受信するステータス情報受信部と、
受信したステータス情報を後記勤務管理サーバに転送するステータス情報転送部と、
を有する勤務者であるユーザが携帯すべきユーザ携帯端末と、
ステータス情報の転送を受けるステータス情報転送受信部と、
転送を受けたステータス情報に基づいてユーザ携帯端末の携帯者であるユーザが仕事中であるか、仕事外であるかの受付ステータスを保持する受付ステータス保持部と、
受け付けた受付ステータスに基づいてユーザ携帯端末の携帯者であるユーザが仕事中であるか、仕事外であるかを決定したステータスである結果ステータスを保持する結果ステータス保持部と、
を有する勤務管理サーバと、
からなる勤務管理システム。
【請求項２】
近距離無線方式で少なくとも後記する勤務管理サーバにて仕事中又は仕事外のステータスを得るために利用される仕事場所又は仕事外の場所に位置遷移を検出できるように複数配置されるＯＮ信号又はＯＦＦ信号を含むステータス情報を発信するステータス情報発信部を備えたステータス情報発信装置と、
ステータス情報発信装置からのステータス情報を受信するステータス情報受信部と、
受信したステータス情報を後記勤務管理サーバに転送するステータス情報転送部と、
を有する勤務者であるユーザが携帯すべきユーザ携帯端末と、
ステータス情報の転送を受けるステータス情報転送受信部と、
転送を受けたステータス情報に基づいてユーザ携帯端末の携帯者であるユーザが仕事中であるか、仕事外であるかの受付ステータスを保持する受付ステータス保持部と、
受け付けた受付ステータスに基づいてユーザ携帯端末の携帯者であるユーザが仕事中であるか、仕事外であるかを決定したステータスである結果ステータスを保持する結果ステータス保持部と、
を有する勤務管理サーバと、
からなる勤務管理システム。
【請求項３】
ステータス情報発信部のステータス情報発信周波数は、１ヘルツ以上であり、ステータス情報の転送は、同周期で勤務管理サーバになされるように構成された請求項１又は２に記載の勤務管理システム。
【請求項４】
ユーザ携帯端末と近距離無線方式で通信することで勤務管理サーバに保持されている受付ステータスを他のステータスに変更するための情報である変更情報を取得するための変更情報取得部と、
取得した変更情報をユーザ携帯端末に対して送信する変更情報送信部と、を有するユーザが携帯すべき勤務管理サーバ変更キック装置をさらに有し、
ユーザ携帯端末は、送信された変更情報を受信する変更情報受信部と、
受信した変更情報を勤務管理サーバに転送する変更情報転送部と、を有し、
勤務管理サーバは、転送された変更情報を受信する転送変更情報受信部と、
受信した転送変更情報に基づいて保持されている受付ステータスを他のステータスに変更する受付ステータス変更部と、
を有する請求項１から３のいずれか一に記載の勤務管理システム。
【請求項５】
ユーザ携帯端末と近距離無線方式で通信することで勤務管理サーバに保持されている受付ステータスを更新するための情報である更新情報を取得するための更新情報取得部と、
取得した更新情報をユーザ携帯端末に対して送信する更新情報送信部と、を有するユーザが携帯すべき勤務管理サーバ更新キック装置をさらに有し、
ユーザ携帯端末は、送信された更新情報を受信する更新情報受信部と、
受信した更新情報を勤務管理サーバに転送する更新情報転送部と、を有し、
勤務管理サーバは、転送された更新情報を受信する転送更新情報受信部と、
受信した転送更新情報に基づいて保持されている受付ステータスを同じステータス又は他のステータスに更新する受付ステータス更新部と、
を有する請求項１から３のいずれか一に記載の勤務管理システム。
【請求項６】
ユーザ携帯端末と近距離無線方式で通信することで勤務管理サーバに保持されている受付ステータスを他のステータスに変更するための情報である変更情報を取得するための変更情報取得部と、
取得した変更情報をユーザ携帯端末に対して送信する変更情報送信部と、
ユーザ携帯端末と近距離無線方式で通信することで勤務管理サーバに保持されている受付ステータスを更新するための情報である更新情報を取得するための更新情報取得部と、
取得した更新情報をユーザ携帯端末に対して送信する更新情報送信部と、
を有するユーザが携帯すべき勤務管理サーバ変更更新キック装置をさらに有し、
ユーザ携帯端末は、
送信された変更情報を受信する変更情報受信部と、
受信した変更情報を勤務管理サーバに転送する変更情報転送部と、
送信された更新情報を受信する更新情報受信部と、
受信した更新情報を勤務管理サーバに転送する更新情報転送部と、を有し、
勤務管理サーバは、
転送された変更情報を受信する転送変更情報受信部と、
受信した転送変更情報に基づいて保持されている受付ステータスを他のステータスに変更する受付ステータス変更部と、
転送された更新情報を受信する転送更新情報受信部と、
受信した転送更新情報に基づいて保持されている受付ステータスを同じステータス又は他のステータスに更新する受付ステータス更新部と、
を有する請求項１から３のいずれか一に記載の勤務管理システム。
【請求項７】
請求項４に記載の勤務管理サーバ変更キック装置。
【請求項８】
請求項５に記載の勤務管理サーバ更新キック装置。
【請求項９】
請求項６に記載の勤務管理サーバ変更更新キック装置。
【請求項１０】
勤務管理サーバは、
受付ステータスに基づいて結果ステータスを決定するルールである結果ステータス決定ルール保持部と、
保持されている受付ステータスと、前記結果ステータス決定ルールとを用いて結果ステータスを判断する結果ステータス判断部と、
判断された結果ステータスを結果ステータス保持部に記録する結果ステータス記録部と、をさらに有する請求項１から請求項６のいずれか一に記載の勤務管理システム。
【請求項１１】
保持されている結果ステータス決定ルールは、時刻、地理的情報、位置情報、カレンダー情報、仕事上利用する装置の稼働状況、ステータス情報発信装置識別情報、ユーザ識別情報、ユーザスケジュール情報のいずれか一以上である参酌情報を参酌するルールであり、
勤務管理サーバは、参酌情報を取得する参酌情報取得部をさらに有する請求項１０に記載の勤務管理システム。
【請求項１２】
勤務管理サーバは、
結果ステータスを強制的に変更する情報である結果ステータス強制変更情報を取得する結果ステータス強制変更情報取得部と、 
取得した結果ステータス強制変更情報に基づいて結果ステータスを変更する結果ステータス強制変更部と、
を有する請求項１から請求項６、請求項１０、請求項１１のいずれか一に記載の勤務管理システム。
【請求項１３】
仕事場所又は仕事外の場所に備えられるステータス情報発信装置により実行されるステップであって、近距離無線方式で少なくとも後記する勤務管理サーバにて仕事中又は仕事外のステータスを得るために利用されるＯＮ信号又はＯＦＦ信号を含むステータス情報を発信するステータス情報発信ステップと、
勤務者であるユーザが携帯すべきユーザ携帯端末により実行されるステップであって、
ステータス情報発信装置からのステータス情報を受信するステータス情報受信ステップと、
受信したステータス情報を後記勤務管理サーバに転送するステータス情報転送ステップと、
勤務管理サーバによって実行されるステップであって、
ステータス情報の転送を受けるステータス情報転送受信ステップと、
転送を受けたステータス情報に基づいてユーザ携帯端末の携帯者であるユーザが仕事中であるか、仕事外であるかの受付ステータスを格納する受付ステータス格納ステップと、
受け付けた受付ステータスに基づいてユーザ携帯端末の携帯者であるユーザが仕事中であるか、仕事外であるかを決定したステータスである結果ステータスを格納する結果ステータス格納ステップと、
からなる勤務管理システムの動作方法。
【請求項１４】
ユーザが携帯すべき勤務管理サーバ変更キック装置により実行されるステップであって、
ユーザ携帯端末と近距離無線方式で通信することで勤務管理サーバに保持されている受付ステータスを他のステータスに変更するための情報である変更情報を取得するための変更情報取得ステップと、
取得した変更情報をユーザ携帯端末に対して送信する変更情報送信ステップと、
ユーザ携帯端末によって実行されるステップであって、
送信された変更情報を受信する変更情報受信ステップと、
受信した変更情報を勤務管理サーバに転送する変更情報転送ステップと、
勤務管理サーバによって実行されるステップであって、
転送された変更情報を受信する転送変更情報受信ステップと、
受信した転送変更情報に基づいて保持されている受付ステータスを他のステータスに変更する受付ステータス変更ステップと、
からなる請求項１３に記載の勤務管理システムの動作方法。
【請求項１５】
ユーザが携帯すべき勤務管理サーバ更新キック装置により実行されるステップであって、
ユーザ携帯端末と近距離無線方式で通信することで勤務管理サーバに保持されている受付ステータスを更新するための情報である更新情報を取得するための更新情報取得ステップと、
取得した更新情報をユーザ携帯端末に対して送信する更新情報送信ステップと、
ユーザ携帯端末により実行されるステップであって、
送信された更新情報を受信する更新情報受信ステップと、
受信した更新情報を勤務管理サーバに転送する更新情報転送ステップと、
勤務管理サーバにより実行されるステップであって、
転送された更新情報を受信する転送更新情報受信ステップと、
受信した転送更新情報に基づいて保持されている受付ステータスを同じステータス又は他のステータスに更新する受付ステータス更新ステップと、
からなる請求項１３に記載の勤務管理システムの動作方法。
【請求項１６】
ユーザが携帯すべき勤務管理サーバ変更更新キック装置により実行されるステップであって、
ユーザ携帯端末と近距離無線方式で通信することで勤務管理サーバに保持されている受付ステータスを他のステータスに変更するための情報である変更情報を取得するための変更情報取得ステップと、
取得した変更情報をユーザ携帯端末に対して送信する変更情報送信ステップと、
ユーザ携帯端末と近距離無線方式で通信することで勤務管理サーバに保持されている受付ステータスを更新するための情報である更新情報を取得するための更新情報取得ステップと、
取得した更新情報をユーザ携帯端末に対して送信する更新情報送信ステップと、
ユーザ携帯端末により実行されるステップであって、
送信された変更情報を受信する変更情報受信ステップと、
受信した変更情報を勤務管理サーバに転送する変更情報転送ステップと、
送信された更新情報を受信する更新情報受信ステップと、
受信した更新情報を勤務管理サーバに転送する更新情報転送ステップと、
勤務管理サーバにより実行されるステップであって、
転送された変更情報を受信する転送変更情報受信ステップと、
受信した転送変更情報に基づいて保持されている受付ステータスを他のステータスに変更する受付ステータス変更ステップと、
転送された更新情報を受信する転送更新情報受信ステップと、
受信した転送更新情報に基づいて保持されている受付ステータスを同じステータス又は他のステータスに更新する受付ステータス更新ステップと、
からなる請求項１３に記載の勤務管理システムの動作方法。
【請求項１７】
勤務管理サーバにより実行されるステップであって、
受付ステータスに基づいて結果ステータスを決定するルールである結果ステータス決定ルール格納ステップと、
保持されている受付ステータスと、前記結果ステータス決定ルールとを用いて結果ステータスを判断する結果ステータス判断ステップと、
判断された結果ステータスを記録する結果ステータス記録ステップと、
からなる請求項１３から請求項１６のいずれか一に記載の勤務管理システムの動作方法。
【請求項１８】
保持されている結果ステータス決定ルールは、時刻、地理的情報、位置情報、カレンダー情報、仕事上利用する装置の稼働状況、ステータス情報発信装置識別情報、ユーザ識別情報、ユーザスケジュール情報のいずれか一以上である参酌情報を参酌するルールであり、
勤務管理サーバにより実行されるステップであって、参酌情報を取得する参酌情報取得ステップからなる請求項１７に記載の勤務管理システムの動作方法。
【請求項１９】
勤務管理サーバにより実行されるステップであって、
結果ステータスを強制的に変更する情報である結果ステータス強制変更情報を取得する結果ステータス強制変更情報取得ステップと、
取得した結果ステータス強制変更情報に基づいて結果ステータスを変更する結果ステータス強制変更ステップと、
からなる請求項１３から請求項１８のいずれか一に記載の勤務管理システムの動作方法。
【請求項２０】
仕事場所又は仕事外の場所に備えられるステータス情報発信装置により実行されるステップであって、近距離無線方式で少なくとも後記する勤務管理サーバにて仕事中又は仕事外のステータスを得るために利用されるＯＮ信号又はＯＦＦ信号を含むステータス情報を発信するステータス情報発信ステップと、
勤務者であるユーザが携帯すべきユーザ携帯端末により実行されるステップであって、
ステータス情報発信装置からのステータス情報を受信するステータス情報受信ステップと、
受信したステータス情報を後記勤務管理サーバに転送するステータス情報転送ステップと、
勤務管理サーバによって実行されるステップであって、
ステータス情報の転送を受けるステータス情報転送受信ステップと、
転送を受けたステータス情報に基づいてユーザ携帯端末の携帯者であるユーザが仕事中であるか、仕事外であるかの受付ステータスを格納する受付ステータス格納ステップと、
受け付けた受付ステータスに基づいてユーザ携帯端末の携帯者であるユーザが仕事中であるか、仕事外であるかを決定したステータスである結果ステータスを格納する結果ステータス格納ステップと、
を実行させるための勤務管理システムの動作プログラムのなかのステータス情報発信装置によって実行されるプログラム。
【請求項２１】
仕事場所又は仕事外の場所に備えられるステータス情報発信装置により実行されるステップであって、近距離無線方式で少なくとも後記する勤務管理サーバにて仕事中又は仕事外のステータスを得るために利用されるＯＮ信号又はＯＦＦ信号を含むステータス情報を発信するステータス情報発信ステップと、
勤務者であるユーザが携帯すべきユーザ携帯端末により実行されるステップであって、
ステータス情報発信装置からのステータス情報を受信するステータス情報受信ステップと、
受信したステータス情報を後記勤務管理サーバに転送するステータス情報転送ステップと、
勤務管理サーバによって実行されるステップであって、
ステータス情報の転送を受けるステータス情報転送受信ステップと、
転送を受けたステータス情報に基づいてユーザ携帯端末の携帯者であるユーザが仕事中であるか、仕事外であるかの受付ステータスを格納する受付ステータス格納ステップと、
受け付けた受付ステータスに基づいてユーザ携帯端末の携帯者であるユーザが仕事中であるか、仕事外であるかを決定したステータスである結果ステータスを格納する結果ステータス格納ステップと、
を実行させるための勤務管理システムの動作プログラムのなかのユーザ携帯端末によって実行されるプログラム。
【請求項２２】
仕事場所又は仕事外の場所に備えられるステータス情報発信装置により実行されるステップであって、近距離無線方式で少なくとも後記する勤務管理サーバにて仕事中又は仕事外のステータスを得るために利用されるＯＮ信号又はＯＦＦ信号を含むステータス情報を発信するステータス情報発信ステップと、
勤務者であるユーザが携帯すべきユーザ携帯端末により実行されるステップであって、
ステータス情報発信装置からのステータス情報を受信するステータス情報受信ステップと、
受信したステータス情報を後記勤務管理サーバに転送するステータス情報転送ステップと、
勤務管理サーバによって実行されるステップであって、
ステータス情報の転送を受けるステータス情報転送受信ステップと、
転送を受けたステータス情報に基づいてユーザ携帯端末の携帯者であるユーザが仕事中であるか、仕事外であるかの受付ステータスを格納する受付ステータス格納ステップと、
受け付けた受付ステータスに基づいてユーザ携帯端末の携帯者であるユーザが仕事中であるか、仕事外であるかを決定したステータスである結果ステータスを格納する結果ステータス格納ステップと、
を実行させるための勤務管理システムの動作プログラムのなかの勤務管理サーバによって実行されるプログラム。
【請求項２３】
ユーザが携帯すべき勤務管理サーバ変更キック装置により実行されるステップであって、
ユーザ携帯端末と近距離無線方式で通信することで勤務管理サーバに保持されている受付ステータスを他のステータスに変更するための情報である変更情報を取得するための変更情報取得ステップと、
取得した変更情報をユーザ携帯端末に対して送信する変更情報送信ステップと、
ユーザ携帯端末によって実行されるステップであって、
送信された変更情報を受信する変更情報受信ステップと、
受信した変更情報を勤務管理サーバに転送する変更情報転送ステップと、
勤務管理サーバによって実行されるステップであって、
転送された変更情報を受信する転送変更情報受信ステップと、
受信した転送変更情報に基づいて保持されている受付ステータスを他のステータスに変更する受付ステータス変更ステップと、
を実行する請求項２０から２２のいずれか一に記載の勤務管理システムの動作プログラムのなかの勤務管理サーバ変更キック装置によって実行されるプログラム。
【請求項２４】
ユーザが携帯すべき勤務管理サーバ変更キック装置により実行されるステップであって、
ユーザ携帯端末と近距離無線方式で通信することで勤務管理サーバに保持されている受付ステータスを他のステータスに変更するための情報である変更情報を取得するための変更情報取得ステップと、
取得した変更情報をユーザ携帯端末に対して送信する変更情報送信ステップと、
ユーザ携帯端末によって実行されるステップであって、
送信された変更情報を受信する変更情報受信ステップと、
受信した変更情報を勤務管理サーバに転送する変更情報転送ステップと、
勤務管理サーバによって実行されるステップであって、
転送された変更情報を受信する転送変更情報受信ステップと、
受信した転送変更情報に基づいて保持されている受付ステータスを他のステータスに変更する受付ステータス変更ステップと、
を実行する請求項２０から２２のいずれか一に記載の勤務管理システムの動作プログラムのなかのユーザ携帯端末によって実行されるプログラム。
【請求項２５】
ユーザが携帯すべき勤務管理サーバ変更キック装置により実行されるステップであって、
ユーザ携帯端末と近距離無線方式で通信することで勤務管理サーバに保持されている受付ステータスを他のステータスに変更するための情報である変更情報を取得するための変更情報取得ステップと、
取得した変更情報をユーザ携帯端末に対して送信する変更情報送信ステップと、
ユーザ携帯端末によって実行されるステップであって、
送信された変更情報を受信する変更情報受信ステップと、
受信した変更情報を勤務管理サーバに転送する変更情報転送ステップと、
勤務管理サーバによって実行されるステップであって、
転送された変更情報を受信する転送変更情報受信ステップと、
受信した転送変更情報に基づいて保持されている受付ステータスを他のステータスに変更する受付ステータス変更ステップと、
を実行する請求項２０から２２のいずれか一に記載の勤務管理システムの動作プログラムのなかの勤務管理サーバによって実行されるプログラム。
【請求項２６】
ユーザが携帯すべき勤務管理サーバ更新キック装置により実行されるステップであって、
ユーザ携帯端末と近距離無線方式で通信することで勤務管理サーバに保持されている受付ステータスを更新するための情報である更新情報を取得するための更新情報取得ステップと、
取得した更新情報をユーザ携帯端末に対して送信する更新情報送信ステップと、
ユーザ携帯端末により実行されるステップであって、
送信された更新情報を受信する更新情報受信ステップと、
受信した更新情報を勤務管理サーバに転送する更新情報転送ステップと、
勤務管理サーバにより実行されるステップであって、
転送された更新情報を受信する転送更新情報受信ステップと、
受信した転送更新情報に基づいて保持されている受付ステータスを同じステータス又は他のステータスに更新する受付ステータス更新ステップと、
を実行する請求項２０から２２のいずれか一に記載の勤務管理システムの動作プログラムのなかの勤務管理サーバ更新キック装置により実行されるプログラム。
【請求項２７】
ユーザが携帯すべき勤務管理サーバ更新キック装置により実行されるステップであって、
ユーザ携帯端末と近距離無線方式で通信することで勤務管理サーバに保持されている受付ステータスを更新するための情報である更新情報を取得するための更新情報取得ステップと、
取得した更新情報をユーザ携帯端末に対して送信する更新情報送信ステップと、
ユーザ携帯端末により実行されるステップであって、
送信された更新情報を受信する更新情報受信ステップと、
受信した更新情報を勤務管理サーバに転送する更新情報転送ステップと、
勤務管理サーバにより実行されるステップであって、
転送された更新情報を受信する転送更新情報受信ステップと、
受信した転送更新情報に基づいて保持されている受付ステータスを同じステータス又は他のステータスに更新する受付ステータス更新ステップと、
を実行する請求項２０から２２のいずれか一に記載の勤務管理システムの動作プログラムのなかのユーザ携帯端末により実行されるプログラム。
【請求項２８】
ユーザが携帯すべき勤務管理サーバ更新キック装置により実行されるステップであって、
ユーザ携帯端末と近距離無線方式で通信することで勤務管理サーバに保持されている受付ステータスを更新するための情報である更新情報を取得するための更新情報取得ステップと、
取得した更新情報をユーザ携帯端末に対して送信する更新情報送信ステップと、
ユーザ携帯端末により実行されるステップであって、
送信された更新情報を受信する更新情報受信ステップと、
受信した更新情報を勤務管理サーバに転送する更新情報転送ステップと、
勤務管理サーバにより実行されるステップであって、
転送された更新情報を受信する転送更新情報受信ステップと、
受信した転送更新情報に基づいて保持されている受付ステータスを同じステータス又は他のステータスに更新する受付ステータス更新ステップと、
を実行する請求項２０から２２のいずれか一に記載の勤務管理システムの動作プログラムのなかの勤務管理サーバにより実行されるプログラム。
【発明の詳細な説明】
【技術分野】
【０００１】
本発明は、位置情報を用いた勤務管理システムに関するものである。
【背景技術】
【０００２】
近年従業員の法定外の時間外労働が問題となっている。従来、従業員がカードなどを所定の場所に設置されたリーダに接触等させることによって、勤務の開始あるいは終了を記録していた。このような仕組みにおいては、従業員側がカードをリーダに接触させるといった自発的行為により記録を実行するため、接触し忘れによる記録の欠落や、接触する時刻を意図的に操作することにより、記録と実際に仕事をした時間との乖離が発生することがある。また勤務中においても、離席や休憩等の時間を正確に把握することができないため、実際に仕事をした時間と申告された勤務時間との間に差異が生じるといった問題点が生じていた。
【先行技術文献】
【特許文献】
【０００３】
【特許文献１】特開２００８−２６９４５２号公報
【発明の概要】
【発明が解決しようとする課題】
【０００４】
特許文献１の技術は、従業員の携帯するＲＦＩＤと椅子の振動を読み取るシステムを使用して、従業員が着席中か、離席中か検出することが可能である。該技術を用いることによって、カードをリーダに接触する等の従業員の自発的行為に頼らず、従業員の着席離席を特定することにより、勤務記録を作成することが可能である。
【０００５】
しかしながら、椅子を利用する場所に検出場所は限定され、ＲＦＩＤ読み取り装置を配置できる場所も限定されてしまう。椅子はもとより、ＲＦＩＤ読み取り装置を事業場に多数分散配置するのはコスト的に負担が大きいからである。
【課題を解決するための手段】
【０００６】
このような課題に対し、本発明は、事業場に多数の近距離無線方式によるステータス情報発信装置、例えばビーコン発信装置のようなものを配置し、ステータス情報である例えば位置、仕事中、仕事外などの情報をサーバ装置に送信する役割は、従業員が携帯するスマートフォンなどのユーザ携帯端末にゆだねる。つまりステータス情報はビーコン発信装置からスマートフォンに受信され、スマートフォンなどがその情報をサーバに転送する。したがってサーバに対する通信設備コストを最小限に抑えることができる。このステータス情報は周期的に繰返し発信されており、これを受信したスマートフォンなどは自動的にサーバにこの情報を転送するように構成される。したがって、従業員であるユーザが意識的に転送処理をする必要はない。つまり、仕事中、仕事外などの記録のし忘れ、という問題も生じない。またスマートフォンは従業員に支給してもよいが、従業員のプライベートなスマートフォンにプログラムをインストールして利用することも可能なのでこの面でもコストを低減できる（使用者は従業員にスマートフォン利用料を支払うことなどが必要かもしれないが。）。
【０００７】
具体的には、近距離無線方式で少なくとも後記する勤務管理サーバにて仕事中又は仕事外のステータスを得るために利用される仕事場所又は仕事外の場所に備えられるＯＮ信号又はＯＦＦ信号を含むステータス情報を発信するステータス情報発信部を備えたステータス情報発信装置と、ステータス情報発信装置からのステータス情報を受信するステータス情報受信部と、受信したステータス情報を後記勤務管理サーバに転送するステータス情報転送部と、を有する勤務者であるユーザが携帯すべきユーザ携帯端末と、ステータス情報の転送を受けるステータス情報転送受信部と、転送を受けたステータス情報に基づいてユーザ携帯端末の携帯者であるユーザが仕事中であるか、仕事外であるかの受付ステータスを保持する受付ステータス保持部と、受け付けた受付ステータスに基づいてユーザ携帯端末の携帯者であるユーザが仕事中であるか、仕事外であるかを決定したステータスである結果ステータスを保持する結果ステータス保持部と、を有する勤務管理サーバと、からなる勤務管理システムを提供する。
【０００８】
また、上記特徴に加えて、ユーザ携帯端末と近距離無線方式で通信することで勤務管理サーバに保持されている受付ステータスを他のステータスに変更するための情報である変更情報を取得するための変更情報取得部と、取得した変更情報をユーザ携帯端末に対して送信する変更情報送信部と、を有するユーザが携帯すべき勤務管理サーバ変更キック装置をさらに有し、ユーザ携帯端末は、送信された変更情報を受信する変更情報受信部と、受信した変更情報を勤務管理サーバに転送する変更情報転送部と、を有し、勤務管理サーバは、転送された変更情報を受信する転送変更情報受信部と、受信した転送変更情報に基づいて保持されている受付ステータスを他のステータスに変更する受付ステータス変更部と、をさらに有する勤務管理システムを提供する。
【０００９】
さらに、上記特徴に加えて、ユーザ携帯端末と近距離無線方式で通信することで勤務管理サーバに保持されている受付ステータスを更新するための情報である更新情報を取得するための更新情報取得部と、取得した更新情報をユーザ携帯端末に対して送信する更新情報送信部と、を有するユーザが携帯すべき勤務管理サーバ更新キック装置をさらに有し、ユーザ携帯端末は、送信された更新情報を受信する更新情報受信部と、受信した更新情報を勤務管理サーバに転送する更新情報転送部と、を有し、勤務管理サーバは、転送された更新情報を受信する転送更新情報受信部と、受信した転送更新情報に基づいて保持されている受付ステータスを同じステータス又は他のステータスに更新する受付ステータス更新部と、をさらに有する勤務管理システムを提供する。
【００１０】
さらに、ユーザ携帯端末と近距離無線方式で通信することで勤務管理サーバに保持されている受付ステータスを他のステータスに変更するための情報である変更情報を取得するための変更情報取得部と、
取得した変更情報をユーザ携帯端末に対して送信する変更情報送信部と、ユーザ携帯端末と近距離無線方式で通信することで勤務管理サーバに保持されている結果ステータスを更新するための情報である更新情報を取得するための更新情報取得部と、取得した更新情報をユーザ携帯端末に対して送信する更新情報送信部と、を有するユーザが携帯すべき勤務管理サーバ変更更新キック装置をさらに有し、ユーザ携帯端末は、送信された変更情報を受信する変更情報受信部と、受信した変更情報を勤務管理サーバに転送する変更情報転送部と、送信された更新情報を受信する更新情報受信部と、受信した更新情報を勤務管理サーバに転送する更新情報転送部と、を有し、勤務管理サーバは、転送された変更情報を受信する転送変更情報受信部と、受信した転送変更情報に基づいて保持されている受付ステータスを他の受付ステータスに変更する受付ステータス変更部と、転送された更新情報を受信する転送更新情報受信部と、受信した転送更新情報に基づいて保持されている受付ステータスを同じ受付ステータス又は他の受付ステータスに更新する受付ステータス更新部と、を有する勤務管理システムを提供する。
【００１１】
さらに、上記特徴に加えて、勤務管理サーバは、受付ステータスに基づいて結果ステータスを決定するルールである結果ステータス決定ルール保持部と、保持されている受付ステータスと、前記結果ステータス決定ルールとを用いて結果ステータスを判断する結果ステータス判断部と、判断された結果ステータスを結果ステータス保持部に記録する結果ステータス記録部と、をさらに有する勤務管理システムを提供する。
【００１２】
さらに、上記特徴に加えて、保持されている結果ステータス決定ルールは、時刻、地理的情報、位置情報、カレンダー情報、仕事上利用する装置の稼働状況、ステータス情報発信装置識別情報、ユーザ識別情報、ユーザスケジュール情報のいずれか一以上である参酌情報を参酌するルールであり、勤務管理サーバは、参酌情報を取得する参酌情報取得部をさらに有する勤務管理システムを提供する。
【００１３】
さらに、上記特徴に加えて、勤務管理サーバは、結果ステータスを強制的に変更する情報である結果ステータス強制変更情報を取得する結果ステータス強制変更情報取得部と、取得した結果ステータス強制変更情報に基づいて結果ステータスを変更する結果ステータス強制変更部と、を有する勤務管理システムを提供する。
【発明の効果】
【００１４】
上記のような勤務管理システムにより、従業員等が自発的行為をすることなしに、あるいは簡便な行為により、仕事中であるか仕事外であるかを判別することが低コストで可能となる。これにより、より正確で客観的に従業員の勤務中、勤務外を把握できる上に、勤務時間中の仕事中、仕事外を把握することが可能となり、不適切な働きすぎ、働かせすぎや、従業員個々の仕事の効率、事業場内での行動を把握することもできる。また、事後的に勤務管理データを手作業で編集することの必要が生ずる場合が非常に少なくなり、勤務管理にかかる手間を大幅に省くことが可能となる。
【図面の簡単な説明】
【００１５】
【図１】実施例１の勤務管理システムの処理の概要を示す図
【図２】実施例１を実施した場合の勤務管理システムの機能的構成を示す図
【図３】実施例１におけるステータス情報を示すための図
【図４】実施例１における受付ステータスを示すための図
【図５】実施例１における結果ステータスを示すための図
【図６】実施例１における勤務管理システムの処理の流れの一例を示すフローチャート
【図７】実施例１にかかる勤務管理システムシステムのハードウエア構成の一例を示す図
【図８】実施例２の勤務管理システムの処理の概要を示す図
【図９】実施例２の勤務管理システムの別の処理の概要を示す図
【図１０】実施例２を実施した場合の勤務管理システムの機能的構成を示す図
【図１１】実施例２における変更情報を示すための図
【図１２】実施例２におけるステータス変更処理を説明するためにステータス情報および変更情報を示した図
【図１３】実施例２を実施した場合の勤務管理システムの別の機能的構成を示す図
【図１４】実施例２の勤務管理サーバ変更キック装置および勤務管理サーバ更新キック装置の一例を示すための図
【図１５】実施例２におけるステータス変更処理を説明するために受付ステータスを示した図
【図１６】実施例２の勤務管理システムのさらに別の機能的構成を示す図
【図１７】実施例２における勤務管理システムの処理の流れの一例を示すフローチャート
【図１８】実施例２における勤務管理システムの別の処理の流れの一例を示すフローチャート
【図１９】実施例２にかかる勤務管理システムシステムのハードウエア構成の一例を示す図
【図２０】実施例２にかかる勤務管理システムシステムの別のハードウエア構成の一例を示す図
【図２１】実施例３を実施した場合の勤務管理システムの機能的構成を示す図
【図２２】実施例３における勤務管理システムの処理の流れの一例を示すフローチャート
【図２３】実施例３にかかる勤務管理システムシステムのハードウエア構成の一例を示す図
【発明を実施するための形態】
【００１６】
以下、本件発明の実施の形態について、添付図面を用いて説明する。なお、実施例と請求項の相互の関係は以下の通りである。実施例１は主に請求項１から３、１２、１３、１９から２２に関し、実施例２は主に請求項４から９、１４から１６、２３から２８に関し、実施例３は主に請求項１０、１１、１７、１８に関する。本件発明は、これら実施例に何ら限定されるべきものではなく、その要旨を逸脱しない範囲において、種々なる態様で実施し得る。
【実施例１】
【００１７】
＜概要＞
【００１８】
図１は本実施例の勤務管理システムの処理の概要を示す図である。この図にあるように、事業所内には近距離無線方式で電波を発するビーコン等のステータス情報発信装置が設置されている。設置されているステータス情報発信装置は２種類存在し、一種類は仕事をする執務スペースに設置されているもの（０１０１等）で、もう一種類は仕事外である喫煙・休憩スペース等に設置されているもの（０１０２等）である。これらのステータス情報発信装置はそれぞれ仕事中である状態を指すＯＮ信号または仕事外である状態を指すＯＦＦ信号を発信する。執務スペースに設置されているステータス情報発信装置はＯＮ信号を発信し、それ以外の喫煙・休憩スペース等に設置されているステータス情報発信装置はＯＦＦ信号を発信する。つまり仕事を行うスペースではＯＮ信号を発信するステータス情報発信装置を設置し、仕事外の活動をするスペースではＯＦＦ信号を発信するステータス情報発信装置を設置する。
【００１９】
ステータス情報発信装置より発信される電波は、従業員等が所持するスマートフォンなどのユーザ携帯端末により受信する。受信された電波に含まれるＯＮ信号またはＯＦＦ信号が含まれるステータス情報はユーザ携帯端末から勤務管理サーバにネットワークを通じて送信される。送信された情報は勤務管理サーバにて蓄積される。
【００２０】
以下では、本実施例の勤務管理システムの機能及び処理の流れ、並びにハードウエアの内容について、詳細に説明する。なお、以下に記載する本システムの機能ブロックは、ハードウエア及びソフトウェアの組み合わせとして実現され得る。具体的には、コンピュータを利用するものであれば、ＣＰＵ（中央演算装置）や主メモリ、バス、あるいは二次記憶装置（ハードディスクドライブや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウエア構成部、またその外部周辺装置用のインターフェース、通信用インターフェース、それらハードウエアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウエアやソフトウェアを制御するための命令が生成されたりする。あるいは本システムの機能ブロックは専用ハードウエアによって実現されても良い。
【００２１】
また、この発明はシステムとして実現できるのみでなく、方法としても実現可能である。また、このような発明の一部をソフトウェアとして構成することができる。さらに、そのようなソフトウェアをコンピュータに実行させるために用いるプログラム、及びプログラムを固定した記録媒体も、当然にこの発明の技術的な範囲に含まれる（本明細書の全体を通じて同様である）。
【００２２】
＜機能的構成＞
図２は、本実施例にかかる勤務管理システムの機能的構成を示す図である。本実施例にかかる勤務管理システムは、「ステータス情報発信装置」（０２０１）と、「ユーザ携帯端末」（０２０２）と、「勤務管理サーバ」（０２０３）とを有する。「ステータス情報発信装置」（０２０１）は、「ステータス情報発信部」（０２０４）を有する。「ユーザ携帯端末」（０２０２）は、「ステータス情報受信部」（０２０５）と「ステータス情報転送部」（０２０６）と、を有する。「勤務管理サーバ」（０２０３）は、「ステータス情報転送受信部」（０２０７）と、「受付ステータス保持部」（０２０８）と、「結果ステータス保持部」（０２０９）と、を有する。
【００２３】
「ステータス情報発信装置」（０２０１）は、事業所内に設置され、仕事中又は仕事外であることを示すＯＮ信号又はＯＦＦ信号を発信する。同装置は設置型の電波ビーコン装置等が該当する。このビーコン装置は小型軽量で電池により動作するものであるため配線が必要なく、小電力で動作するため電池も１年以上交換すること無く動作するものであるとなお良い。ＯＮ信号又はＯＦＦ信号は周期的に繰返し発信されるように構成される。発信周期は１Ｈｚ以上が望ましい。出力は小電力でよく、数ミリワットでよい。したがって電池で交換なしに１年以上動作可能である。また有効送信範囲は１から５メートル程度でよい。あまり範囲が広くなると受信位置の解像度が落ちるからである。さらに有効送信範囲は全方位でなく、指向性があってもよい。例えば作業机が密集している仕事場の場合には、椅子の方向に向かってＯＮ信号が発信されるようにし、逆側には発信されないようにすることが考えられる。このようにすることで作業机を識別したＯＮ信号を利用することができる。同装置は複数設置することが望ましい。複数設置することで従業員等の移動に伴う位置遷移を検出できる。ステータス情報発信装置の設置場所は、作業机、出入口、廊下、会議室、玄関、受付、喫煙所、休憩所、食堂、診療室、トイレ、浴室、シャワールーム、給湯室、倉庫、図書室、エレベーターホール、エスカレーターホール、階段など事業場の各所に備えることが好ましい。また事業場でなく、病院に設置する場合には上記のほか、診察室、執務机、病室、処置室、ナースステーション、検査室、レントゲン室等、学校に設置する場合には上記のほか、教室、机、教壇、廊下、体育館、職員室、校庭等、テーマパークに設置する場合には上記のほか、アトラクション、チケットブース、売店、レストラン等、駅に設置する場合には上記のほか、コンコース、改札、ホーム、券売機、窓口等、空港に設置する場合には上記のほか、手荷物検査場、カウンター、搭乗口、入国審査カウンター、免税店等、港に設置する場合には上記のほか発券窓口、乗船場等、デパートに設置する場合には、各売り場、レジ、ＡＴＭ等、などの各所に設置することが望ましい。
【００２４】
「ユーザ携帯端末」（０２０２）は、従業員等が所持し、ステータス情報発信装置（０２０１）から電波によりステータス情報を受信する。受信したステータス情報はインターネットや構内の無線ＬＡＮ等のネットワークを介して勤務管理サーバ（０２０３）に転送される。同端末はスマートフォン等が該当する。
【００２５】
「勤務管理サーバ」（０２０３）は、ユーザ携帯端末よりステータス情報を受信し、受付ステータスとして保持する。受付ステータスに基づいて、最終的な勤務管理データである結果ステータスが決定され、記憶域に保持される。保持された結果ステータスは勤務情報として利用される。勤務管理サーバ（０２０３）はユーザの習慣を反映して強制的に仕事中（ＯＮ）か仕事外（ＯＦＦ）にステータスを切り替えるべき既学習パターンの有無を検索し有ればステータスを変更してユーザ携帯端末（０２０２）のアプリに通知する機能を有していても良い。この「ステータスの変更」は（ＯＮ→ＯＦＦ）、（ＯＦＦ→ＯＮ）だけでなく、（ＯＮ→ＯＮ）、（ＯＦＦ→ＯＦＦ）の場合もありうる。つまり、各ステータス情報発信装置（０２０１）からの信号をトリガにしてユーザ携帯端末（０２０２）のアプリが送ってくるのは原則として（時間）（位置）（ステータス）のみであり、（時間）を軸にした（ステータス）信号は（ＯＮ）（ＯＮ）（Ｎ／Ａ）（ＯＮ）（Ｎ／Ａ）（ＯＦＦ）（ＯＦＦ）（ＯＮ）（ＯＦＦ）というように前後のステータスに縛られずにサーバに通知される。勤務管理サーバ（０２０３）はＷＥＢからのステータスの追加・修正・削除をユーザに機能として提供してもよい（後述）。その為、勤務管理サーバ（０２０３）内に累積される受付ステータスは「ユーザ携帯端末のアプリ」以外からも通知され蓄積される。
【００２６】
ある時点が勤務中（ＯＮ）であるか、非勤務中（ＯＦＦ）であるかは勤務管理サーバ（０２０３）が以下のようなルールに対する判断で決める。１日の最初はＯＦＦでスタートする。１日の最後はＯＦＦに強制的にする。「特定の位置、時刻、ユーザ手動の送信」の繰り返しと「ユーザの承認」をもって「ＯＮにするパターン」「ＯＦＦにするパターン」を学習する。非勤務エリアに対し一定時間以上いた場合はＯＦＦ（０秒の場合は範囲に侵入したら即時ＯＦＦ）（例えばトイレは３分以内ならＯＫとか喫煙は５分以内ならＯＫという労使の合意によるルールが設定できる。）。また、（位置）については営業や客先訪問のように執務室以外の勤務をする場合がある。この場合は通常ユーザが携帯型ビーコンなどの勤務管理サーバ変更または／および更新キック装置（後述）のボタンを押すことでユーザ携帯端末（０２０２）のアプリを通して勤務管理サーバ（０２０３）にユーザ意思を送り、勤務管理サーバ（０２０３）が勤務中（ＯＮ）であるか、非勤務中（ＯＦＦ）であるかのステータスを変更できる。加えて、予め繰り返し訪問する客先などをジオフェンス（ＧＰＳ範囲座標）を用いて「勤務地」として勤務管理サーバ（０２０３）に登録することによりユーザ携帯端末（０２０２）がＧＰＳを用いてその範囲に入ったことを勤務管理サーバ（０２０３）が知ることが出来る。ただし、その為にアプリを常に立ち上げておく必要は無く、携帯型ビーコンなどの勤務管理サーバ変更または／および更新キック装置から自動的に一定時間おきに送られる信号によりバックグラウンドで位置情報を処理し、ジオフェンスへの侵入・離脱を勤務管理サーバ（０２０３）に通知すればよい。これにより、設置型ビーコンなどのステータス情報発信装置（０２０１）が無い場所での勤務もデータを累積し、学習パターンも構築することができる。
【００２７】
「ステータス情報発信部」（０２０４）は、近距離無線方式で少なくとも勤務管理サーバ（０２０３）にて仕事中又は仕事外のステータスを得るために利用される仕事場所又は仕事外の場所に備えられるＯＮ信号又はＯＦＦ信号を含むステータス情報を発信する機能を有する。「近距離無線方式」とは、無線ＬＡＮの規格を使用したものや、赤外線によるもの、Ｂｌｕｅｔｏｏｔｈ（登録商標）、ＮＦＣ等種々のものが含まれる。「仕事中」とは勤務時間内において、実質的に業務に従事している時間である。「仕事外」とは勤務時間外および勤務時間内においても休憩等業務から一時的に離れている時間のことを指す。「ステータス情報」とは、仕事中をＯＮ、仕事外をＯＦＦとして、これを二値で表現したものを含む情報である。図３（Ａ）はステータス情報発信装置がステータス情報を表現したものの一例である。この図にあるように、ステータス情報はステータス（ｓｔａｔｕｓタグ内）として１あるいは０の値を取るものとする。図３（Ａ）は休憩場所に設置されるステータス情報発信装置が発信する情報のためステータス値が０を示している。ステータス情報にはそのほか発信時刻や図に示すようにステータス情報発信装置のＩＤであるビーコンＩＤ（ｂｅａｃｏｎタグ内のＩＤタグ内）等、位置情報や、地理的情報等が含まれていても良い。ビーコンＩＤは管理サーバにて位置情報と関連付けられていても良い。ステータス情報の発信は、一定の時間間隔を置いて定期的に実行される場合と、ユーザ携帯端末がステータス情報発信装置の通信可能エリアに入る毎に実行される場合が考えられる。発信は非接続型のブロードキャストであってもよいし、接続型の通信であってもよいが、処理の高速さや負荷の小ささを考慮に入れるとブロードキャストの方が望ましい。発信されたステータス情報は、ユーザ携帯端末（０２０２）の後述するステータス情報受信部（０２０５）により受信される。当部の機能は、ステータス情報発信装置のＣＰＵと、ＲＡＭと、ＲＯＭと、無線部、ＲＯＭに格納されたステータス情報発信プログラムにより実現される。
【００２８】
「ステータス情報受信部」（０２０５）はユーザ携帯端末（０２０２）において、ステータス情報発信装置からのステータス情報を受信する機能を有する。受信したステータス情報は後述のステータス情報転送部（０２０６）に送られる。当部の機能は、ユーザ携帯端末の無線部と、ＣＰＵと、ＲＡＭと、不揮発性の記憶域であるストレージ領域と、ストレージ領域に格納され、ＲＡＭ上にロードされＣＰＵにて実行されるステータス情報受信プログラムにより実現される。
【００２９】
「ステータス情報転送部」（０２０６）はユーザ携帯端末（０２０２）において、受信したステータス情報を勤務管理サーバ（０２０３）に転送する機能を有する。具体的には、ステータス情報受信部（０２０５）からステータス情報を受取り、後述する勤務管理サーバ（０２０３）内のステータス情報転送受信部（０２０７）に対して送信を実行する。図３（Ｂ）は転送されるステータス情報の一例を示す図である。この図にあるように、ステータス情報発信装置のＩＤやステータスを示す０または１の値、転送時刻（ｔｉｍｅタグ内）などが含まれる。この他、ユーザＩＤや、位置を示す値としてＧＰＳの座標情報などが含まれていてもよい。図３（Ｂ）におけるＧＰＳタグ内の値はｎｕｌｌ値を取っているが、これはユーザ携帯端末が事業所内にいるためＧＰＳ電波を捕捉できなかったためである。当部の機能はユーザ携帯端末の無線部とＣＰＵと、ＲＡＭと、ストレージと、ストレージに格納され、ＲＡＭ上にロードされＣＰＵにて実行されるステータス情報転送プログラムにより実現される。
【００３０】
上述のステータス情報受信プログラムやステータス情報転送プログラムは、ユーザ携帯端末においてアプリケーションとして動作するものでもよいし、ユーザ携帯端末が搭載するＯＳのレベルにてバックグラウンドで動作するものでも良い。バックグラウンド動作することによりステータス情報の受信にあたりアプリケーションの立ち上げ動作が必要無くなり、立ち上げを忘れることによる記録の欠落等を防ぐことができるので望ましい。その上ユーザ携帯端末がスリープ状態になっていてもステータス情報の受信が可能であるのでバックグラウンド動作することが望ましい。なお、バックグラウンドでのステータス情報の受信をトリガとしてアプリケーションを起動させ、勤務管理サーバからの通知を受け取るといった処理も可能である。
【００３１】
「ステータス情報転送受信部」（０２０７）は勤務管理サーバ（０２０３）においてステータス情報の転送を受ける機能を有する。具体的にはユーザ携帯端末において転送されたステータス情報を、ネットワークを介して勤務管理サーバにて受信する。受信したステータス情報は後述する受付ステータス保持部（０２０８）に対して送られる。当部の機能は勤務管理サーバのＣＰＵと、ネットワークＩ／Ｆと、ＲＡＭと、ストレージと、ストレージに保持され、ＲＡＭ上にロードされＣＰＵにて実行されるステータス情報転送受信プログラムにより実現される。
【００３２】
「受付ステータス保持部」（０２０８）は、転送を受けたステータス情報に基づいてユーザ携帯端末の携帯者であるユーザが仕事中であるか、仕事外であるかの受付ステータスを保持する機能を有する。具体的には、ステータス情報転送受信部（０２０７）よりステータス情報を受け取り、受付ステータスとして記憶域に保持する。「受付ステータス」とは、ステータス情報を累積したものである。図４は受付ステータスを示すための図である。なお、本図は受信される受付ステータスの内、ユーザＩＤが「００１２」の受付ステータスを表示している。この図にあるように、時刻（ステータス情報の発信時刻および転送時刻、転送受信時刻などが考えられる）とユーザＩＤ、ステータス情報発信装置のＩＤであるビーコンＩＤ、そしてステータス等が受付ステータスに含まれる。保持されている受付ステータスは呼び出され、勤務管理サーバにおいて仕事中であるか、仕事外であるかを決定され、結果ステータスとして後述の結果ステータス保持部（０２０９）にて保持される。当部の機能は勤務管理サーバのＣＰＵと、ＲＡＭと、ストレージにより実現される。
【００３３】
「結果ステータス保持部」（０２０９）は、受け付けた受付ステータスに基づいてユーザ携帯端末の携帯者であるユーザが仕事中であるか、仕事外であるかを決定したステータスである結果ステータスを保持する機能を有する。受付ステータスに基づき、最終的に結果ステータスとして保持される勤務データを生成し記憶領域に格納する。図５は、ユーザが仕事中であるか、仕事外であるかを決定し、結果ステータスを生成するための結果ステータス決定画面の一例である。当画面で表示されるデータは、受付ステータス保持部に保持されている受付ステータスに基づいている。図４の受付ステータスをみると、ユーザ００１２のユーザ携帯端末は２０１７年１月１３日の８時５０分０秒に執務室内のビーコン（ＩＤ：０ｘ０２）からの電波を受信している。この電波受信によりステータスが０から１となる（０４０１）。つまり、ユーザ００１２は８時５０分に出勤してきたことが分かる。その後、同じ執務室内の複数のビーコンよりステータス情報を受信している。ここで、一度に複数のビーコンからステータス情報を受け取る構成でもよい（０４０２）。図５に示すように、結果ステータス決定画面では、ステータスが前のステータス受信と変わらない場合には表示が省略され、ステータスが変わった際の受付ステータスのみが表示される。また、ステータスが変更されて一定時間以上経過しないとステータスが変わったものとみなさないように設定するための閾値を設定することが可能である。例えば閾値を５分とした場合に、図４を参照すると、ユーザ００１２は９時１５分３０秒にトイレに設置されているビーコン（ＩＤ：０ｘ４１）からステータス情報０を受け取る。このことより、ユーザ００１２はトイレに行ったことが分かり、一時的に仕事外の状態となる。しかしながら、９時１９分０秒には執務室のビーコン（ＩＤ：０ｘ０２）よりステータス情報１を受信している（０４０３）ため、ステータス０となった時間は３分３０秒であり閾値である５分未満であった。このため、一時的に仕事外となったもののその時間が短時間であったために、結果ステータス決定画面ではステータスの変更であるとの表示がされない。一方、１０時１５分３０秒に喫煙室に設置されたビーコン（ＩＤ：０ｘ２４）よりステータス０を受信しており、次にステータスが１となった時刻は１０時３５分０秒であった（０４０４）。ここで仕事外すなわちステータス０となった時間は１９分３０秒であるため閾値の５分を上回る。よって、ステータスの変更であるとみなされ、図５の結果ステータス決定画面にも変更前後のステータス情報が表示される。このことにより、ユーザ００１２が５分以上仕事外の状態となり、勤務時間内において休憩を取ったということが分かる。
【００３４】
なおこれらの受付ステータスに累積されたステータス情報は、少なくとも時刻とステータスについて勤務管理サーバ側で強制的に変更し結果ステータスとして保持することが可能であってもよい。すなわち、勤務管理サーバが、結果ステータスを強制的に変更する情報である結果ステータス強制変更情報を取得する結果ステータス強制変更情報取得部（図示せず）と、 取得した結果ステータス強制変更情報に基づいて結果ステータスを変更する結果ステータス強制変更部（図示せず）と、をさらに有する構成である。最終的には、図５中の承認ボタン等を押下することにより、結果ステータスとして決定することが可能であり、当該データは勤務データとして記憶域に格納される。当部の機能は、当部の機能は勤務管理サーバのＣＰＵと、ＲＡＭと、Ｕ／Ｉと、ストレージ等により実現される。
【００３５】
＜処理の流れ＞
図６は、本実施例にかかる勤務管理システムを用いた場合の処理の流れの一例を示すためのフローチャートである。まず、ステータス情報発信装置においてステータス情報が発信される（ステップＳ０６０１）。次にユーザ携帯端末においてステータス情報が受信される（ステップＳ０６０２）。ステータス情報は転送され（ステップＳ０６０３）、勤務管理サーバにおいて受信される（ステップＳ０６０４）。受信したステータス情報は受付ステータスとして記憶域に格納される（ステップＳ０６０５）。最後に受付ステータスに基づいて仕事中であるか、仕事外であるかを決定され、結果ステータスとして記憶域に格納される（ステップＳ０６０６）。
【００３６】
＜ハードウエア構成＞
図７は、本実施例にかかる勤務管理システムのハードウエア構成の一例を示す図である。以下、この図を用いて説明する。
【００３７】
この図にあるように、本実施例にかかる勤務管理システムは、ステータス情報発信装置と、ユーザ携帯端末と、勤務管理サーバとからなり、それぞれに各種演算処理を行う「ＣＰＵ（中央演算装置）」（０７０１、０７０６、０７１２）と、揮発性の記憶媒体である「ＲＡＭ」（０７０３、０７０８、０７１４）を備えている。ステータス情報発信装置は、不揮発性の記憶媒体である「ＲＯＭ」（０７０２）を有し、ユーザ携帯端末と勤務管理サーバには同様に不揮発性の記憶媒体であるフラッシュメモリやＨＤＤなどの「ストレージ」（０７０７、０７１３）とを有している。ステータス情報発信装置とユーザ携帯端末とは「無線部」（０７０４、０７０９）を有し、勤務管理サーバは「ネットワークＩ／Ｆ」（０７１５）を有している。さらにユーザ携帯端末と勤務管理サーバとはキーボード、マウス、ディスプレイ、タッチパネル等の「Ｕ／Ｉ」（０７１０、０７１６）を有している。そして、それらが「システムバス」（０７０５、０７１１、０７１７）などのデータ通信経路によって相互に接続され、情報の送受信や処理を行う。
【００３８】
また、「ＲＡＭ」（０７０３、０７０８、０７１４）は、各種処理を行うプログラムを「ＣＰＵ」（０７０１、０７０６、０７１２）に実行させるために読み出すと同時にそのプログラムの作業領域でもあるワーク領域を提供する。また、この「ＲＡＭ」（０７０３、０７０８、０７１４）にはそれぞれ複数のアドレスが割り当てられており、「ＣＰＵ」（０７０１、０７０６、０７１２）で実行されるプログラムは、そのアドレスを特定しアクセスすることで相互にデータのやりとりを行い、処理を行うことが可能になっている（本明細書を通じて同様である）。
【００３９】
まず、ステータス情報発信装置において、ＲＯＭ（０７０２）に格納されているステータス情報発信プログラムがＲＡＭ（０７０３）上に展開されＣＰＵ（０７０１）にて実行される。同プログラムは、ＲＡＭ（０７０３）に格納されているステータス情報発信装置のＩＤ値と０か１かの二値をとるｓｔａｔｕｓ値とをステータス情報として無線部（０７０４）を介して送信する。ユーザ携帯端末においては、ストレージ（０７０７）に格納されているステータス情報受信プログラムがＲＡＭ（０７０８）上に展開されＣＰＵ（０７０６）にて実行される。同プログラムは、無線部（０７０９）によりステータス情報を受信し、ＲＡＭ（０７０８）に一時的に格納する。次にステータス情報転送プログラムがＲＡＭ（０７０８）上に展開されＣＰＵ（０７０６）にて実行される。同プログラムはＲＡＭ（０７０８）に一時的に格納されているステータス情報（ＩＤ値、ｓｔａｔｕｓ値）と、ＣＰＵ（０７０６）にて取得した時刻（ｔｉｍｅ値）等とをステータス情報として無線部（０７０９）を介してネットワークに送信する。勤務管理サーバにおいては、ストレージ（０７１３）に格納されているステータス情報転送受信プログラムがＲＡＭ（０７１４）上に展開されＣＰＵ（０７１２）にて実行される。同プログラムはネットワークＩ／Ｆ（０７１５）を介してステータス情報を受信し、受付ステータスとしてＲＡＭ（０７１４）又は／及びストレージ（０７１３）に格納する。次に、格納されている受付ステータスを呼び出し、Ｕ／Ｉ（０７１６）を操作することで、仕事中であるか仕事外であるかの決定を受け付けることにより、結果ステータスとしてストレージ（０７１３）に格納する。
【実施例２】
【００４０】
＜概要＞
【００４１】
実施例２では、携帯型ビーコン等の勤務管理サーバ変更キック装置もしくは勤務管理サーバ更新キック装置を用いてステータス情報の変更および更新 が可能な勤務管理システムを提供する。図８は本実施例の勤務管理システムの処理の概要を示す図である。この図にあるように、従業員等が出張先に出向いている。自社の事業所内から離れると、設置型ビーコンなどのステータス情報発信装置より一定時間ステータス情報を受け取ることができなくなる。すると、ユーザ携帯端末又は勤務管理サーバにおいて、仕事中である「ＯＮ」（ステータス情報：１）から仕事外である「ＯＦＦ」（ステータス情報：０）の状態に移ったと判断され、ユーザ携帯端末上に通知される。あるいは、ユーザ携帯端末に搭載されているＧＰＳ装置の取得する位置情報により、「ＯＮ」エリアから「ＯＦＦ」エリアに移ったと判断され、勤務管理サーバにてステータスが「ＯＦＦ」（ステータス情報：０）変更される。しかしながら、出張先への移動も仕事中に含まれる場合には従業員等はステータスを変更する必要が生ずる。このようなときに、従業員等が携帯している勤務管理サーバ変更キック装置のボタンを押下する。すると、勤務管理サーバ変更キック装置よりステータスを他のステータスに変更するための変更情報が発信され、ユーザ携帯端末を介して勤務管理サーバへ届けられる。受信した勤務管理サーバでは、「ＯＦＦ」の状態が「ＯＮ」の状態に変更される。このように勤務管理サーバ変更キック装置を携帯し、操作することにより、勤務管理サーバの受付ステータスを変更することで、勤務実態に合わせた勤務管理を簡便な操作で行うことができる。
＜別の処理の概要＞
【００４２】
図９は本実施例の勤務管理システムの処理の別の概要を示す図である。この図にあるように、出張している従業員等が、出張先に到着し、出張先の位置の近傍のあらかじめ設定された範囲内に入った。すると、ＧＰＳ装置の取得する位置情報によりこれを検知し、ユーザ携帯端末あるいは勤務管理サーバにおいて、ステータスを「ＯＮ」とする。従業員等は勤務管理サーバ更新キック装置を所持しており、これを操作することによりステータスが「ＯＮ」である旨の更新情報を送信する。更新情報はユーザ携帯端末を介して勤務管理サーバに送信される。既に位置情報を取得することによりステータスは仕事中である「ＯＮ」になっているが、更新情報を受信することにより受付ステータスは再度「ＯＮ」に更新がされる。このように、勤務管理サーバ更新キック装置を操作して更新情報を発信することで勤務管理サーバの受付ステータスを最新に保つことが可能である。
【００４３】
以下、機能的構成、処理の流れ、ハードウエア構成を順に説明する。
【００４４】
＜機能的構成＞
図１０は、本実施例にかかる勤務管理システムの機能的構成を示す図である。本実施例にかかる勤務管理システムは、「ステータス情報発信装置」（１００１）と、「ユーザ携帯端末」（１００２）と、「勤務管理サーバ」（１００３）とを有する。「ステータス情報発信装置」（１００１）は、「ステータス情報発信部」（１００４）を有する。「ユーザ携帯端末」（１００２）は、「ステータス情報受信部」（１００５）と「ステータス情報転送部」（１００６）と、を有する。「勤務管理サーバ」（１００３）は、「ステータス情報転送受信部」（１００７）と、「受付ステータス保持部」（１００８）と、「結果ステータス保持部」（１００９）と、を有する。これらの機能的構成については、実施例１と同様であるので記載を省略する。以下では、本実施例で加わった「勤務管理サーバ変更キック装置」（１０１０）と、同装置における「変更情報取得部」（１０１１）と「変更情報送信部」（１０１２）と、「ユーザ携帯端末」（１００２）における「変更情報受信部」（１０１３）と、「変更情報転送部」（１０１４）と、「勤務管理サーバ」（１００３）における「転送変更情報受信部」（１０１５）と、「受付ステータス変更部」（１０１６）との機能について説明する。
【００４５】
「勤務管理サーバ変更キック装置」（１０１０）は、従業員等が所持携帯している小型の装置であり、ユーザ携帯端末に向け変更情報を送信する機能を有する。携帯型のビーコン装置等が同装置に該当する。
【００４６】
「変更情報取得部」（１０１１）は勤務管理サーバ変更キック装置（１０１０）において、ユーザ携帯端末（１００２）と近距離無線方式で通信することで勤務管理サーバ（１００３）に保持されている受付ステータスを他のステータスに変更するための情報である変更情報を取得をするための機能を有する。「他のステータスに変更」とは、現在のステータス情報が０（「ＯＦＦ」）ならば１（「ＯＮ」）と、１（「ＯＮ」）ならば０（「ＯＦＦ」）とすることである。「変更情報を取得」とは、ボタンなどのＵ／Ｉにて操作を受け付けることにより変更情報を生成するためのトリガを得ることである。図１１（Ａ）は取得された変更情報の一例を示すための図である。この図にあるように、ｓｃｒｉｐｔタグ内の関数ｓｔａｔｕｓ．ｋｉｃｋ（）にてステータスを変更する命令を記述している。当該関数を勤務管理サーバの後述する受付ステータス変更部（１０１６）にて実行することで、ステータスを他のステータスに変更する。取得された変更情報は、変更情報送信部（１０１２）に渡される。当部の機能は、勤務管理サーバ変更キック装置のＣＰＵ、ＲＯＭ、ＲＡＭ、Ｕ／Ｉ、ＲＯＭ上に格納された変更情報取得プログラムにて実現される。
【００４７】
「変更情報送信部」（１０１２）は、勤務管理サーバ変更キック装置（１０１０）において、取得した変更情報をユーザ携帯端末（１００２）に対して送信する機能を有する。具体的には、変更情報取得部（１０１１）より変更情報を受け取り、近距離無線方式による通信でユーザ携帯端末に対して送信する。変更情報の送信は、一度変更情報を取得したら、その後ユーザ携帯端末に対して周期的に送信されるものでも良い。取得すると当部の機能は勤務管理サーバ変更キック装置のＣＰＵ、ＲＯＭ、ＲＡＭ、無線部、ＲＯＭ上に格納された変更情報送信プログラムにて実現される。
【００４８】
「変更情報受信部」（１０１３）はユーザ携帯端末（１００２）において、送信された変更情報を受信する機能を有する。具体的には、勤務管理サーバ変更キック装置（１０１０）の「変更情報送信部」（１０１２）により送信された変更情報を近距離無線方式の通信を介して受信する。当部の機能はユーザ携帯端末のＣＰＵ、ストレージ、ＲＡＭ、無線部、ストレージ上に格納された変更情報受信プログラムにて実現される。
【００４９】
「変更情報転送部」（１０１４）はユーザ携帯端末（１００２）において、受信した変更情報を勤務管理サーバ（１００３）に転送する機能を有する。具体的には変更情報受信部（１０１３）より変更情報を受け取り、ネットワークを介して勤務管理サーバ（１００３）の転送変更情報受信部（１０１５）に対して送信する。図１１（Ｂ）は転送変更情報の一例を示した図である。転送変更情報はユーザ携帯端末にて受信した変更情報に基づいているが、この図にあるように受信又は転送時刻（ｔｉｍｅタグ内）や勤務管理サーバキック装置のＩＤ（ＩＤタグ内）や、ユーザ携帯端末のＧＰＳ装置にて取得した位置情報（ＧＰＳタグ内）などを付加して転送しても良い。当部の機能はユーザ携帯端末のＣＰＵ、ストレージ、ＲＡＭ、無線部、ストレージ上に格納された変更情報転送プログラムにて実現される。
【００５０】
「転送変更情報受信部」（１０１５）は、勤務管理サーバ（１００３）において、転送された変更情報を受信する機能を有する。具体的にはユーザ携帯端末（１００２）の変更情報転送部（１０１４）において送信された変更情報をネットワークを介して受信し、受付ステータス変更部に対して転送変更情報として渡すといった処理を実行する。当部の機能は勤務管理サーバのＣＰＵ、ストレージ、ＲＡＭ、ネットワークＩ／Ｆ、ストレージ上に格納された転送変更情報受信プログラムにて実現される。
【００５１】
「受付ステータス変更部」（１０１６）は、受信した転送変更情報に基づいて保持されている受付ステータスを他のステータスに変更する機能を有する。具体的には転送変更情報受信部（１０１５）にて受信した転送変更情報を受け取り、ステータスを変更したステータス情報を受付ステータス保持部（１００９）に対して渡すといった処理を実行する。図１２はステータス変更処理を説明するために受付ステータス情報を示した図である。この図では、ユーザ００１２が出張に出かけた場合のステータス情報および変更情報を累積したものである。２０１７年１月１６日の１３時３４分０秒に執務室外のステータス情報発信装置である設置型ビーコンよりステータス情報を取得し、ステータスは０（「ＯＦＦ」）となっている。次に１３時３６分２５秒に勤務管理サーバ変更キック装置である携帯ビーコンのボタンを押下することにより、変更情報を新たに取得している。これによりステータスは０から１（「ＯＮ」）に切り替わり、出張に出かけた場合の移動時間も仕事中であるとの結果ステータスを残すことができる。その後出張先で業務が完了し直帰するために、１７時１５分１８秒に再び携帯ビーコンのボタンを押下した。すると、ステータスが１（「ＯＮ」）から０（「ＯＦＦ」）となった変更情報が取得され、受付ステータスとして残される。このように本実施例の勤務管理システムでは勤務管理サーバ変更キック装置のボタンを押下するだけで、勤務管理サーバのステータスを切り替えることが可能である。これにより、従業員等はステータス情報発信装置が存在しないエリアに移動しても、自己のステータスをサーバに対して伝えることができ、より簡便にかつ実態に即した勤務記録を生成することが可能である。
【００５２】
＜別の機能的構成＞
図１３は、本実施例にかかる勤務管理システムの別の機能的構成を示す図である。本実施例にかかる勤務管理システムは、「ステータス情報発信装置」（１３０１）と、「ユーザ携帯端末」（１３０２）と、「勤務管理サーバ」（１３０３）とを有する。「ステータス情報発信装置」（１３０１）は、「ステータス情報発信部」（１３０４）を有する。「ユーザ携帯端末」（１３０２）は、「ステータス情報受信部」（１３０５）と「ステータス情報転送部」（１３０６）と、を有する。「勤務管理サーバ」（１３０３）は、「ステータス情報転送受信部」（１３０７）と、「受付ステータス保持部」（１３０８）と、「結果ステータス保持部」（１３０９）と、を有する。これらの機能的構成については、実施例１と同様であるので記載を省略する。以下では、本実施例で加わった「勤務管理サーバ更新キック装置」（１３１０）における「更新情報取得部」（１３１７）と「更新情報送信部」（１３１８）と、「ユーザ携帯端末」（１３０２）における「更新情報受信部」（１３１９）と、「更新情報転送部」（１３２０）と、「勤務管理サーバ」（１３０３）における「転送更新情報受信部」（１３２１）と、「受付ステータス更新部」（１３２２）との機能について説明する。
【００５３】
「更新情報取得部」（１３１１）は勤務管理サーバ更新キック装置（１３１０）においてユーザ携帯端末（１３０２）と近距離無線方式で通信することで勤務管理サーバ（１３０３）に保持されている受付ステータスを同じステータス又は他のステータスに更新するための情報である更新情報を取得をするための機能を有する。「同じステータス又は他のステータスに更新する」とは直前のステータス情報にかかわらず、ステータスを０又は１へと更新することである。「更新情報を取得」とは、ボタンなどのＵ／Ｉにて操作を受け付けることにより更新情報を生成するためのトリガを得ることである。図１４（Ｂ）（Ｃ）は更新情報取得部（１３１７）を有する勤務管理サーバ更新キック装置（１３１０）の例を示すための図である。図１４（Ａ）は上述の変更情報取得部（１０１１）を有する勤務管理サーバ変更キック装置（１０１０）を示している。装置には一つのプッシュボタンが備えられており、このボタンを押下することで、勤務管理サーバ上のステータスを他のステータスに変更することが可能である。図１４（Ｂ）、（Ｃ）は、更新情報取得部（１３１１）を有する勤務管理サーバ更新キック装置（１３１０）を示している。図１４（Ｂ）では装置にＯＮまたはＯＦＦを選択するボタンがあり、これにより更新情報を発信することが可能である。図１４（Ｃ）に示す装置では一つのプッシュボタンにより更新情報を取得し、更新情報を送信可能である。本態様では、勤務管理サーバ更新キック装置（１３１０）においてＯＮまたはＯＦＦの情報が含まれる更新情報を取得するのではなく、勤務管理サーバ装置においてＯＮまたはＯＦＦの決定を促すためのトリガを発信するものである。当部の機能は、勤務管理サーバ更新キック装置のＣＰＵ、ＲＯＭ、ＲＡＭ、Ｕ／Ｉ、ＲＯＭ上に格納された更新情報取得プログラムにて実現される。
【００５４】
「更新情報送信部」（１３１８）は、取得した更新情報をユーザ携帯端末（１３０２）に対して送信する機能を有する。具体的には、更新情報取得部（１３１７）より更新情報を受け取り、近距離無線方式による通信でユーザ携帯端末に対して送信する。更新情報の送信は、一度更新情報を取得したら、その後ユーザ携帯端末に対して周期的に送信されるものでも良い。当部の機能は勤務管理サーバ更新キック装置のＣＰＵ、ＲＯＭ、ＲＡＭ、無線部、ＲＯＭ上に格納された更新情報送信プログラムにて実現される。
【００５５】
「更新情報受信部」（１３１９）はユーザ携帯端末（１３０２）において、送信された更新情報を受信する機能を有する。具体的には、勤務管理サーバ更新キック装置（１３１０）の「更新情報送信部」（１３１８）により送信された更新情報を近距離無線方式の通信を介して受信する。当部の機能はユーザ携帯端末のＣＰＵ、ストレージ、ＲＡＭ、無線部、ストレージ上に格納された更新情報受信プログラムにて実現される。
【００５６】
「更新情報転送部」（１３２０）は受信した更新情報を勤務管理サーバ（１３０３）に転送する機能を有する。具体的には更新情報受信部（１３１９）より更新情報を受け取り、ネットワークを介して勤務管理サーバ（１３０３）の転送更新情報受信部（１３２１）に対して送信する。当部の機能はユーザ携帯端末のＣＰＵ、ストレージ、ＲＡＭ、無線部、ストレージ上に格納された更新情報転送プログラムにて実現される。
【００５７】
「転送更新情報受信部」（１３２１）は、勤務管理サーバ（１３０３）において、転送された更新情報を受信する機能を有する。具体的にはユーザ携帯端末（１３０２）の更新情報転送部（１３２０）において送信された更新情報をネットワークを介して受信し、受付ステータス更新部に対して転送更新情報として渡すといった処理を実行する。当部の機能は勤務管理サーバのＣＰＵ、ストレージ、ＲＡＭ、ネットワークＩ／Ｆ、ストレージ上に格納された転送更新情報受信プログラムにて実現される。
【００５８】
「受付ステータス更新部」（１３２２）は、受信した転送更新情報に基づいて保持されている受付ステータスを同じステータス又は他のステータスに更新する機能を有する。具体的には転送更新情報受信部（１３２１）にて受信した転送更新情報を受け取り、ステータスを更新したステータス情報を受付ステータス保持部（１３０９）に対して渡すといった処理を実行する。図１５はステータス更新処理を説明するために受付ステータスを示した図である。この図では、ユーザ００１２が出張に出かけた場合のステータス情報および更新情報を累積したものである。ユーザ００１２は２０１７年１月１６日の１３時３３分３０秒に執務室内の設置型ビーコンよりステータス情報を受信したのを最後に事業所内での設置型ビーコンよりステータス情報は受け取っていない。つまり、１３時３３分３０秒以降にユーザは事業所内から出たものと考えられる。１３時３６分０秒に勤務管理サーバ更新キック装置である携帯ビーコン（ＩＤ：０ｘ９９）より更新情報を受信している。この更新情報は勤務管理サーバ更新キック装置である携帯ビーコンが定期的に発するものであってよく、これをトリガとしてユーザ携帯端末においてＧＰＳの位置情報が取得され、勤務管理サーバに転送される。すると勤務管理サーバが位置情報を参照し、あらかじめ設定された仕事を行うエリア内であるか否かを判断し、範囲内であればステータスを１（「ＯＮ」）とし、範囲外であればステータスを０（「ＯＦＦ」）とする。１３時３６分０秒の時点では、事業所を離れ、出張先に向かっている途中であるので、ステータスは０と判断されている。１３時５５分０秒には、出張先に近づいたため勤務管理サーバが位置情報を参照し、ステータスを１とする。さらに１３時５５分２５秒にはユーザが出張先に近づいたため勤務管理サーバ更新キック装置である携帯ビーコンを操作し、ステータスを１（「ＯＮ」）とする更新情報を発信する。これを受信したユーザ携帯端末は、勤務管理サーバに対して更新情報を転送更新情報として転送し、勤務管理サーバ上で転送更新情報を受付ステータスとして累積する。
【００５９】
＜さらに別の機能的構成＞
図１６は本実施例の勤務管理システムのさらに別の機能的構成を示す図である。この図にあるように、本実施例にかかる勤務管理システムは、「ステータス情報発信装置」（１６０１）と、「ユーザ携帯端末」（１６０２）と、「勤務管理サーバ変更更新キック装置」（１６２３）と、「勤務管理サーバ」（１６０３）とを有する。「ステータス情報発信装置」（１６０１）は、「ステータス情報発信部」（１６０４）を有する。「ユーザ携帯端末」（１６０２）は、「ステータス情報受信部」（１６０５）と「ステータス情報転送部」（１６０６）と、「変更情報受信部」（１６１３）と、「変更情報転送部」（１６１４）と、「更新情報受信部」（１６１９）と、「更新情報転送部」（１６２０）と、を有する。「勤務管理サーバ変更更新キック装置」（１６２３）は、「変更情報取得部」（１６１１）と「変更情報送信部」（１６１２）と、「更新情報取得部」（１６１７）と「更新情報送信部」（１６１８）と、を有する。「勤務管理サーバ」（１６０３）は、「ステータス情報転送受信部」（１６０７）と、「受付ステータス保持部」（１６０８）と、「結果ステータス保持部」（１６０９）と、「転送変更情報受信部」（１６１５）と、「受付ステータス変更部」（１６１６）と、「転送更新情報受信部」（１６２１）と、「受付ステータス更新部」（１６２２）を有する。これらの機能的構成については、上記＜機能的構成＞と＜別の機能的構成＞と同様であるので記載を省略する。なお、「勤務管理サーバ変更更新キック装置」（１６２３）は新たな構成要件であるが、基本的には「勤務管理サーバ変更キック装置」（１０１０）と、「勤務管理サーバ更新キック装置」（１３１０）とを合成したものであり、「勤務管理サーバ変更更新キック装置」（１６２３）に含まれる構成要件は既に上記で記載済みであるのでここでの説明は省略する。
【００６０】
＜処理の流れ＞
図１７は、本実施例にかかる勤務管理システムを用いた場合の処理の流れの一例を示すフローチャートである。この図にあるように、まず勤務管理サーバキック装置にて変更情報の取得を行う（ステップＳ１７０１）。次に変更情報の送信を行う（ステップＳ１７０２）。ユーザ携帯端末において変更情報の受信を行い（ステップＳ１７０３）、変更情報の転送を実行する（ステップＳ１７０４）。勤務管理サーバでは転送された変更情報を受信し（ステップＳ１７０５）、受付ステータスを他のステータスに変更する（ステップＳ１７０６）。変更されたステータスは結果ステータスとして格納される（ステップＳ１７０７）。
【００６１】
＜別の処理の流れ＞
図１８は、本実施例にかかる勤務管理システムを用いた場合の処理の流れの一例を示すフローチャートである。この図にあるように、まず勤務管理サーバキック装置にて更新情報の取得を行う（ステップＳ１８０１）。次に更新情報の送信を行う（ステップＳ１８０２）。ユーザ携帯端末において更新情報の受信を行い（ステップＳ１８０３）、更新情報の転送を実行する（ステップＳ１８０４）。勤務管理サーバでは転送された更新情報を受信し（ステップＳ１８０５）、受付ステータスを同じステータスまたは他のステータスに変更する（ステップＳ１８０６）。変更されたステータスは結果ステータスとして格納される（ステップＳ１８０７）。
【００６２】
＜ハードウエア構成＞
図１９は、本実施例にかかる勤務管理システムのハードウエア構成の一例を示す図である。以下、この図を用いて説明する。
【００６３】
この図にあるように、本実施例にかかる勤務管理システムは、ステータス情報発信装置と、勤務管理サーバ変更キック装置と、ユーザ携帯端末と、勤務管理サーバとからなる。ここで、ステータス情報発信装置のハードウエア構成についてはすでに上記にて記載済みであるので省略する。これら３つの装置はそれぞれに各種演算処理を行う「ＣＰＵ（中央演算装置）」（１９１８、１９０６、１９１２）と、揮発性の記憶媒体である「ＲＡＭ」（１９２０、１９０８、１９１４）とキーボード、マウス、ディスプレイ、タッチパネル等の「Ｕ／Ｉ」（１９２２、１９１０、１９１６）とを備えている。勤務管理サーバ変更キック装置は、不揮発性の記憶媒体である「ＲＯＭ」（１９１９）を有し、ユーザ携帯端末と勤務管理サーバとは同様に不揮発性の記憶媒体であるフラッシュメモリやＨＤＤなどの「ストレージ」（１９０７、１９１３）とを有している。勤務管理サーバ変更キック装置とユーザ携帯端末とは「無線部」（１９２１、１９０９）を有し、勤務管理サーバは「ネットワークＩ／Ｆ」（１９１５）を有している。そして、それらが「システムバス」（１９２３、１９１１、１９１７）などのデータ通信経路によって相互に接続され、情報の送受信や処理を行う。
【００６４】
まず、勤務管理サーバ変更キック装置において、ＲＯＭ（１９１９）に格納されている変更情報取得プログラムがＲＡＭ（１９２０）上に展開されＣＰＵ（１９１８）にて実行される。同プログラムは、ボタンを押下するなど、Ｕ／Ｉ（１９２２）の操作がされることにより変更情報（装置ＩＤ、ｓｔａｔｕｓ値）を取得し一時的にＲＡＭ（１９２０）に格納する。ここでｓｔａｔｕｓ値は、直近の値を反転させる関数であるｓｔａｔｕｓ．ｋｉｃｋ（）になっている。次に同じくＲＯＭ（１９１９）に格納されている変更情報送信プログラムがＲＡＭ（１９２０）上に展開されＣＰＵ（１９１８）にて実行される。同プログラムは、ＲＡＭ（１９２０）上の装置ＩＤとｓｔａｔｕｓ値を近距離無線方式の無線部（１９２１）を介して、送信する。ユーザ携帯端末では、ストレージ（１９０７）上に格納されている変更情報受信プログラムがＲＡＭ（１９０８）上に展開されＣＰＵ（１９０６）にて実行されており、無線部（１９０９）により送信された装置ＩＤとｓｔａｔｕｓ値を受信し、ＲＡＭ（１９０８）上に一時的に格納する。このとき一緒にユーザＩＤや受信時刻を示すｔｉｍｅ値を格納してもよい。次にストレージ（１９０７）上に格納されている変更情報転送プログラムがＲＡＭ（１９０８）上に展開されＣＰＵ（１９０６）にて実行される。同プログラムはＲＡＭ（１９０８）上に格納されている値を無線部（１９０９）によりネットワークを介して転送する。勤務管理サーバ装置においては、ストレージ（１９１３）に格納されている転送変更情報受信プログラムがＲＡＭ（１９１４）上に展開されＣＰＵ（１９１２）にて実行されており、同プログラムが転送されたこれらの値をネットワークＩ／Ｆ（１９１５）を介して受信しＲＡＭ（１９１４）に一時的に格納する。次にストレージ（１９１３）上に格納されているステータス変更プログラムがＲＡＭ（１９１４）に展開されＣＰＵ（１９１２）にて実行される。すると、同プログラムはｓｔａｔｕｓ値のアドレスに格納されているｓｔａｔｕｓ.ｋｉｃｋ（）関数を実行し、直近の受付ステータス値を反転する処理を実行する。そして、装置ＩＤ、ユーザＩＤ、ｔｉｍｅ値と共に、ＲＡＭ（１９１４）上に受付ステータスとして格納する。格納された受付ステータスはＵ／Ｉ（１９１６）による操作により、承認処理がされ、結果ステータスとしてストレージ（１９１３）上に格納される。
【００６５】
＜別のハードウエア構成＞
図２０は、本実施例にかかる勤務管理システムの別のハードウエア構成の一例を示す図である。以下、この図を用いて説明する。
【００６６】
この図にあるように、本実施例にかかる勤務管理システムは、ステータス情報発信装置と、勤務管理サーバ更新キック装置と、ユーザ携帯端末と、勤務管理サーバとからなる。ここで、ステータス情報発信装置のハードウエア構成についてはすでに上記にて記載済みであるので省略する。これら３つの装置はそれぞれに各種演算処理を行う「ＣＰＵ（中央演算装置）」（２０２４、２００６、２０１２）と、揮発性の記憶媒体である「ＲＡＭ」（２０２６、２００８、２０１４）とキーボード、マウス、ディスプレイ、タッチパネル等の「Ｕ／Ｉ」（２０２８、２０１０、２０１６）とを備えている。勤務管理サーバ更新キック装置は、不揮発性の記憶媒体である「ＲＯＭ」（２０２５）を有し、ユーザ携帯端末と勤務管理サーバとは同様に不揮発性の記憶媒体であるフラッシュメモリやＨＤＤなどの「ストレージ」（２００７、２０１３）とを有している。勤務管理サーバ更新キック装置とユーザ携帯端末とは「無線部」（２０２７、２００９）を有し、勤務管理サーバは「ネットワークＩ／Ｆ」（２０１５）を有している。そして、それらが「システムバス」（２０２９、２０１１、２０１７）などのデータ通信経路によって相互に接続され、情報の送受信や処理を行う。
【００６７】
まず、勤務管理サーバ更新キック装置において、ＲＯＭ（２０２５）に格納されている更新情報取得プログラムがＲＡＭ（２０２６）上に展開されＣＰＵ（２０２４）にて実行される。同プログラムは、ボタンを押下するなど、Ｕ／Ｉ（２０２８）の操作がされることにより更新情報（装置ＩＤ、ｓｔａｔｕｓ値）を取得し一時的にＲＡＭ（２０２６）に格納する。ここでｓｔａｔｕｓ値は、Ｕ／Ｉ（２０２８）より受け付けられた「０」か「１」のいずれかの値あるいは「Ｎ／Ａ（該当なし）」等の値をとってよい。「Ｎ／Ａ（該当なし）」の値を取った場合には単にステータス更新をトリガして、勤務管理サーバ側でステータスが決定されるものでもよい。次に同じくＲＯＭ（２０２５）に格納されている変更情報送信プログラムがＲＡＭ（２０２６）上に展開されＣＰＵ（２０２４）にて実行される。同プログラムは、ＲＡＭ（２０２６）上の装置ＩＤとｓｔａｔｕｓ値を近距離無線方式の無線部（２０２７）を介して、送信する。ユーザ携帯端末では、ストレージ（２００７）上に格納されている更新情報受信プログラムがＲＡＭ（２００８）上に展開されＣＰＵ（２００６）にて実行されており、無線部（２００９）により送信された装置ＩＤとｓｔａｔｕｓ値を受信し、ＲＡＭ（２００８）上に一時的に格納する。このとき一緒にユーザＩＤや受信時刻を示すｔｉｍｅ値を格納してもよい。次にストレージ（２００７）上に格納されている更新情報転送プログラムがＲＡＭ（２００８）上に展開されＣＰＵ（２００６）にて実行される。同プログラムはＲＡＭ（２００８）上に格納されている値を無線部（２００９）によりネットワークを介して転送する。勤務管理サーバ装置においては、ストレージ（２０１３）に格納されている転送更新情報受信プログラムがＲＡＭ（２０１４）上に展開されＣＰＵ（２０１２）にて実行されており、同プログラムが転送されたこれらの値をネットワークＩ／Ｆ（２０１５）を介して受信しＲＡＭ（２０１４）に一時的に格納する。次にストレージ（２０１３）上に格納されているステータス更新プログラムがＲＡＭ（２０１４）に展開されＣＰＵ（２０１２）にて実行される。すると、同プログラムはｓｔａｔｕｓ値の値を読み出して、あるいはＵ／Ｉ（２０１６）等によりｓｔａｔｕｓ値を取得して、装置ＩＤ、ユーザＩＤ、ｔｉｍｅ値と共に、ＲＡＭ（２０１４）上に受付ステータスとして格納する。格納された受付ステータスはＵ／Ｉ（２０１６）による操作により、承認処理がされ、結果ステータスとしてストレージ（２０１３）上に格納される。
【実施例３】
【００６８】
＜概要＞
【００６９】
実施例３では、従業員等の行動パターンを学習によりルール化し、このルールに基づいて結果ステータスを記録することの可能な勤務管理サーバを有する勤務管理システムを提供する。
【００７０】
以下、機能的構成、処理の流れ、ハードウエア構成を順に説明する。
【００７１】
＜機能的構成＞
図２１は、本実施例にかかる勤務管理システムの機能的構成を示す図である。本実施例にかかる勤務管理システムは、「ステータス情報発信装置」（２１０１）と、「勤務管理サーバ更新キック装置」（２１１０）と、「ユーザ携帯端末」（２１０２）と、「勤務管理サーバ」（２１０３）とを有する。「ステータス情報発信装置」（２１０１）は、「ステータス情報発信部」（２１０４）を有する。「勤務管理サーバ更新キック装置」（２１１０）は、「更新情報取得部」（２１１７）と「更新情報送信部」（２１１８）と、を有する。「ユーザ携帯端末」（２１０２）は、「ステータス情報受信部」（２１０５）と「ステータス情報転送部」（２１０６）と、「更新情報受信部」（２１１９）と、「更新情報転送部」（２１２０）と、を有する。「勤務管理サーバ」（２１０３）は、「ステータス情報転送受信部」（２１０７）と、「受付ステータス保持部」（２１０８）と、「結果ステータス保持部」（２１０９）と、「転送更新情報受信部」（２１２１）と、「受付ステータス更新部」（２１２２）と、を有する。これらの機能的構成については、実施例２と同様であるので記載を省略する。以下では、本実施例で加わった「勤務管理サーバ」（２１０３）における「結果ステータス決定ルール保持部」（２１２４）と、「結果ステータス判断部」（２１２５）と、「結果ステータス記録部」（２１２６）と、「参酌情報取得部」（２１２７）の機能について説明する。
【００７２】
「結果ステータス決定ルール保持部」（２１２４）は、勤務管理サーバ（２１０３）において、受付ステータスに基づいて結果ステータスを決定するルールを保持する機能を有する。勤務管理サーバ（２１０３）は、受付ステータス保持部（２１０８）に保持されている受付ステータスを参照し、これを学習データとしてルールを生成し、記憶域に格納する処理を実行する。例えばある従業員が毎日朝９時ちょうどに出勤し、ステータス情報発信装置（２１０１）よりステータス情報を受信しているとする。すると、ＯＮ信号が含まれる受付ステータスが毎朝９時ちょうどに受付ステータス保持部（２１０８）に格納されるといった繰り返しのパターンがルールとして学習される。すなわち仕事の開始時刻を朝９時とする学習が完了する。学習が完了するとルールとして当部に保持され、朝９時になるとステータス情報発信装置（２１０１）よりステータス情報を受信していなくとも勤務管理サーバの結果ステータスを仕事中の状態に移行させる等の処理を行う。当部の機能は、ＣＰＵと、ＲＡＭとＨＤＤなどのストレージにより実現される。
【００７３】
上記で保持されている結果ステータス決定ルールは、時刻、地理的情報、位置情報、カレンダー情報、仕事上利用する装置の稼働状況、ステータス情報発信装置識別情報、ユーザ識別情報、ユーザスケジュール情報のいずれか一以上である参酌情報を参酌するルールであってよい。時刻に関しては、作業室が閉鎖されている時間帯にはその作業室内でしかできない仕事について、ユーザ携帯端末からの信号がＯＮ信号であっても結果ステータスはＯＦＦにするような参照が考えられる。地理的情報に関しては、日本国内でしかできない仕事について地理的情報が海外であるにも関わらずユーザ携帯端末からの信号がＯＮ信号である場合には結果ステータスはＯＦＦにするなどが考えられる。位置情報に関しては、工事現場が特定されており、位置情報がその工事現場外であるにも関わらず、携帯湛増からの信号がその仕事についてＯＮである場合には結果ステータスをＯＦＦにするなどが考えられる。カレンダー情報に関しては、官公庁が休日であるにも関わらず、官公庁にでむいてしなければならい仕事についてユーザ携帯端末からの信号がＯＮであっても結果ステータスはＯＦＦとするなどが考えられる。仕事上利用する装置の稼働状況については、例えば専用サーバを利用しなければできないような仕事のユーザ携帯端末からの信号がＯＮ信号であっても結果ステータスはＯＦＦにするなどが考えらえる。ステータス情報発信装置識別情報に関しては、その識別情報で設置場所がわかり、トイレであるような場合にはユーザ携帯端末からの信号がＯＮ信号であっても結果ステータスはＯＦＦとするようなことが考えられる。ユーザ識別情報については、工場の夜勤者の識別情報である場合には、昼間にユーザ携帯端末からの信号がＯＮ信号であっても結果ステータスをＯＦＦにするなどが考えられる。ユーザスケジュール情報については、休暇申請日であるにもかかわらず、ユーザ携帯端末からの信号がＯＮ信号である場合には、結果ステータスをＯＦＦにするようなことが考えられる。
【００７４】
「結果ステータス判断部」（２１２５）は保持されている受付ステータスと、前記結果ステータス決定ルールとを用いて結果ステータスを判断する機能を有する。受付ステータス保持部（２１０８）に保持されている受付ステータスと、結果ステータス決定ルール保持部（２１２４）に保持されている結果ステータス決定ルールとを参照し、受付ステータスを条件節とし、判断処理に用いられる結果ステータス決定ルールを選択し、実行する。これにより、結果ステータスに累積されるステータス情報が生成され、後述する「結果ステータス記録部」（２１２６）当部の機能は、ＣＰＵと、ＲＡＭとＨＤＤなどのストレージとＲＡＭ上に展開され、ＣＰＵにて実行される結果ステータス判断プログラムにより実現される。
【００７５】
「結果ステータス記録部」（２１２６）は判断された結果ステータスを結果ステータス保持部（２１０９）に記録する機能を有する。「結果ステータス判断部」（２１２５）より、結果ステータスに累積するためのステータス情報を受け取り、結果ステータス保持部（２１０９）に対して出力する。当部の機能は、ＣＰＵと、ＲＡＭとＨＤＤなどのストレージとＲＡＭ上に展開され、ＣＰＵにて実行される結果ステータス記録プログラムにより実現される。
【００７６】
本実施例の勤務管理サーバ（２１０３）は「参酌情報取得部」（２１２７）を有していても良い。当部は時刻、地理的情報、位置情報、カレンダー情報、仕事上利用する装置の稼働状況、ステータス情報発信装置識別情報、ユーザ識別情報、ユーザスケジュール情報のいずれか一以上である参酌情報を取得する機能を有する。取得した参酌情報は、「結果ステータス決定ルール保持部」（２１２４）に出力され、結果ステータス決定ルールの条件節を生成するために用いられる。当部の機能は、ＣＰＵと、ＲＡＭとＨＤＤなどのストレージとＲＡＭ上に展開され、ＣＰＵにて実行される参酌情報取得プログラムにより実現される。
【００７７】
＜処理の流れ＞
図２２（Ａ）、（Ｂ）は、本実施例にかかる勤務管理システムを用いた場合の処理の流れの一例を示すためのフローチャートである。図２２（Ａ）は勤務管理システムのうち勤務管理サーバが結果ステータス決定ルールを生成する学習フェーズの処理である。図２２（Ｂ）は、生成し、保持されている結果ステータス決定ルールにて結果ステータスを記録する実行フェーズの処理である。図２２（Ａ）の学習フェーズの処理は、まず、時刻、地理的情報、位置情報、カレンダー情報、ステータス情報発信装置識別情報、ユーザ識別情報、ユーザスケジュール情報のいずれか一以上である参酌情報を取得する（ステップＳ２２０１）。次に、結果ステータス決定ルールを格納する（ステップＳ２２２０２）。図２２（Ｂ）
の実行フェーズの処理は、保持されている受付ステータスと、結果ステータス決定ルールとを用いて結果ステータスを判断し（ステップＳ２２０３）、判断された結果ステータスを結果ステータス保持部に記録する（ステップＳ２２０４）。
【００７８】
＜ハードウエア構成＞
図２３は、本実施例にかかる勤務管理システムのうち勤務管理サーバのハードウエア構成の一例を示す図である。以下、この図を用いて説明する。
【００７９】
この図にあるように、本実施例にかかる勤務管理システムのうちの勤務管理サーバは、各種演算処理を行う「ＣＰＵ（中央演算装置）」（２３１２）と、揮発性の記憶媒体である「ＲＡＭ」（２３１４）を備えている。また、不揮発性の記憶媒体であるフラッシュメモリやＨＤＤなどの「ストレージ」（２３１３）と、「ネットワークＩ／Ｆ」（２３１５）と、キーボード、マウス、ディスプレイ、タッチパネル等の「Ｕ／Ｉ」（２３１６）を有している。そして、それらが「システムバス」（２３１７）などのデータ通信経路によって相互に接続され、情報の送受信や処理を行う。
【００８０】
学習フェーズの処理より述べる。まずストレージ（２３１３）上に格納されている参酌情報取得プログラムがＲＡＭ（２３１４）上に展開され、ＣＰＵ（２３１２）上で実行される。同プログラムは、ＲＡＭ上に保持されている受付ステータスのうち、時刻、地理的情報、位置情報、カレンダー情報、ステータス情報発信装置識別情報、ユーザ識別情報、ユーザスケジュール情報のいずれか一以上を参酌情報として取得し、これらを条件式（ｉｆ）とし、その際の受付ステータスのうちのステータスを用いて結果ステータス決定ルールの生成を行いＲＡＭ（２３１４）上に格納する。
【００８１】
次に、実行フェーズの処理を述べる。ストレージ（２３１３）上で格納されている結果ステータス判断プログラムがＲＡＭ（２３１４）上に展開されＣＰＵ（２３１２）上で実行される。同プログラムは、ＲＡＭ（２３１４）上に保持されている受付ステータスを読み込み、どの結果ステータス決定ルールの適用を行うかを判断する。次にストレージ（２３１３）上で格納されている結果ステータス記録プログラムがＲＡＭ（２３１４）上に展開されＣＰＵ（２３１２）上で実行される。同プログラムは、結果ステータス判断プログラムの判断結果である選択された結果ステータス決定ルールを実行し、結果ステータスに記録を行いストレージ（２３１３）上に格納する。
【符号の説明】
【００８２】
０２０１：ステータス情報発信装置
０２０２：ユーザ携帯端末
０２０３：勤務管理サーバ
０２０４：ステータス情報発信部
０２０５：ステータス情報受信部
０２０６：ステータス情報転送部
０２０７：ステータス情報転送受信部
０２０８：受付ステータス保持部
０２０９：結果ステータス保持部
【図１】
2018120278.tif 000003
【図２】
2018120278.tif 000004
【図３】
2018120278.tif 000005
【図４】
2018120278.tif 000006
【図５】
2018120278.tif 000007
【図６】
2018120278.tif 000008
【図７】
2018120278.tif 000009
【図８】
2018120278.tif 000010
【図９】
2018120278.tif 000011
【図１０】
2018120278.tif 000012
【図１１】
2018120278.tif 000013
【図１２】
2018120278.tif 000014
【図１３】
2018120278.tif 000015
【図１４】
2018120278.tif 000016
【図１５】
2018120278.tif 000017
【図１６】
2018120278.tif 000018
【図１７】
2018120278.tif 000019
【図１８】
2018120278.tif 000020
【図１９】
2018120278.tif 000021
【図２０】
2018120278.tif 000022
【図２１】
2018120278.tif 000023
【図２２】
2018120278.tif 000024
【図２３】
2018120278.tif 000025
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
近距離無線方式で少なくとも後記する勤務管理サーバにて仕事中又は仕事外のステータスを得るために利用される仕事場所又は仕事外の場所に配置されるＯＮ信号又はＯＦＦ信号を含むステータス情報を発信するステータス情報発信部を備えたステータス情報発信装置と、
ステータス情報発信装置からのステータス情報を受信するステータス情報受信部と、
受信したステータス情報を後記勤務管理サーバに転送するステータス情報転送部と、
を有する勤務者であるユーザが携帯すべきユーザ携帯端末と、
ステータス情報の転送を受けるステータス情報転送受信部と、
転送を受けたステータス情報に基づいてユーザ携帯端末の携帯者であるユーザが仕事中であるか、仕事外であるかの受付ステータスを保持する受付ステータス保持部と、
受け付けた受付ステータスに基づいてユーザ携帯端末の携帯者であるユーザが仕事中であるか、仕事外であるかを決定したステータスである結果ステータスを保持する結果ステータス保持部と、
を有する勤務管理サーバと、
からなる勤務管理システム。
【請求項２】
近距離無線方式で少なくとも後記する勤務管理サーバにて仕事中又は仕事外のステータスを得るために利用される仕事場所又は仕事外の場所に位置遷移を検出できるように複数配置されるＯＮ信号又はＯＦＦ信号を含むステータス情報を発信するステータス情報発信部を備えたステータス情報発信装置と、
ステータス情報発信装置からのステータス情報を受信するステータス情報受信部と、
受信したステータス情報を後記勤務管理サーバに転送するステータス情報転送部と、
を有する勤務者であるユーザが携帯すべきユーザ携帯端末と、
ステータス情報の転送を受けるステータス情報転送受信部と、
転送を受けたステータス情報に基づいてユーザ携帯端末の携帯者であるユーザが仕事中であるか、仕事外であるかの受付ステータスを保持する受付ステータス保持部と、
受け付けた受付ステータスに基づいてユーザ携帯端末の携帯者であるユーザが仕事中であるか、仕事外であるかを決定したステータスである結果ステータスを保持する結果ステータス保持部と、
を有する勤務管理サーバと、
からなる勤務管理システム。
【請求項３】
ステータス情報発信部のステータス情報発信周波数は、１ヘルツ以上であり、ステータス情報の転送は、同周期で勤務管理サーバになされるように構成された請求項１又は２に記載の勤務管理システム。
【請求項４】
ユーザ携帯端末と近距離無線方式で通信することで勤務管理サーバに保持されている受付ステータスを他のステータスに変更するための情報である変更情報を取得するための変更情報取得部と、
取得した変更情報をユーザ携帯端末に対して送信する変更情報送信部と、を有するユーザが携帯すべき勤務管理サーバ変更キック装置をさらに有し、
ユーザ携帯端末は、送信された変更情報を受信する変更情報受信部と、
受信した変更情報を勤務管理サーバに転送する変更情報転送部と、を有し、
勤務管理サーバは、転送された変更情報を受信する転送変更情報受信部と、
受信した転送変更情報に基づいて保持されている受付ステータスを他のステータスに変更する受付ステータス変更部と、
を有する請求項１から３のいずれか一に記載の勤務管理システム。
【請求項５】
ユーザ携帯端末と近距離無線方式で通信することで勤務管理サーバに保持されている受付ステータスを更新するための情報である更新情報を取得するための更新情報取得部と、
取得した更新情報をユーザ携帯端末に対して送信する更新情報送信部と、を有するユーザが携帯すべき勤務管理サーバ更新キック装置をさらに有し、
ユーザ携帯端末は、送信された更新情報を受信する更新情報受信部と、
受信した更新情報を勤務管理サーバに転送する更新情報転送部と、を有し、
勤務管理サーバは、転送された更新情報を受信する転送更新情報受信部と、
受信した転送更新情報に基づいて保持されている受付ステータスを同じステータス又は他のステータスに更新する受付ステータス更新部と、
を有する請求項１から３のいずれか一に記載の勤務管理システム。
【請求項６】
ユーザ携帯端末と近距離無線方式で通信することで勤務管理サーバに保持されている受付ステータスを他のステータスに変更するための情報である変更情報を取得するための変更情報取得部と、
取得した変更情報をユーザ携帯端末に対して送信する変更情報送信部と、
ユーザ携帯端末と近距離無線方式で通信することで勤務管理サーバに保持されている受付ステータスを更新するための情報である更新情報を取得するための更新情報取得部と、
取得した更新情報をユーザ携帯端末に対して送信する更新情報送信部と、
を有するユーザが携帯すべき勤務管理サーバ変更更新キック装置をさらに有し、
ユーザ携帯端末は、
送信された変更情報を受信する変更情報受信部と、
受信した変更情報を勤務管理サーバに転送する変更情報転送部と、
送信された更新情報を受信する更新情報受信部と、
受信した更新情報を勤務管理サーバに転送する更新情報転送部と、を有し、
勤務管理サーバは、
転送された変更情報を受信する転送変更情報受信部と、
受信した転送変更情報に基づいて保持されている受付ステータスを他のステータスに変更する受付ステータス変更部と、
転送された更新情報を受信する転送更新情報受信部と、
受信した転送更新情報に基づいて保持されている受付ステータスを同じステータス又は他のステータスに更新する受付ステータス更新部と、
を有する請求項１から３のいずれか一に記載の勤務管理システム。
【請求項７】
請求項４に記載の勤務管理サーバ変更キック装置。
【請求項８】
請求項５に記載の勤務管理サーバ更新キック装置。
【請求項９】
請求項６に記載の勤務管理サーバ変更更新キック装置。
【請求項１０】
勤務管理サーバは、
受付ステータスに基づいて結果ステータスを決定するルールである結果ステータス決定ルール保持部と、
保持されている受付ステータスと、前記結果ステータス決定ルールとを用いて結果ステータスを判断する結果ステータス判断部と、
判断された結果ステータスを結果ステータス保持部に記録する結果ステータス記録部と、をさらに有する請求項１から請求項６のいずれか一に記載の勤務管理システム。
【請求項１１】
保持されている結果ステータス決定ルールは、時刻、地理的情報、位置情報、カレンダー情報、仕事上利用する装置の稼働状況、ステータス情報発信装置識別情報、ユーザ識別情報、ユーザスケジュール情報のいずれか一以上である参酌情報を参酌するルールであり、
勤務管理サーバは、参酌情報を取得する参酌情報取得部をさらに有する請求項１０に記載の勤務管理システム。
【請求項１２】
勤務管理サーバは、
結果ステータスを強制的に変更する情報である結果ステータス強制変更情報を取得する結果ステータス強制変更情報取得部と、 
取得した結果ステータス強制変更情報に基づいて結果ステータスを変更する結果ステータス強制変更部と、
を有する請求項１から請求項６、請求項１０、請求項１１のいずれか一に記載の勤務管理システム。
【請求項１３】
仕事場所又は仕事外の場所に備えられるステータス情報発信装置により実行されるステップであって、近距離無線方式で少なくとも後記する勤務管理サーバにて仕事中又は仕事外のステータスを得るために利用されるＯＮ信号又はＯＦＦ信号を含むステータス情報を発信するステータス情報発信ステップと、
勤務者であるユーザが携帯すべきユーザ携帯端末により実行されるステップであって、
ステータス情報発信装置からのステータス情報を受信するステータス情報受信ステップと、
受信したステータス情報を後記勤務管理サーバに転送するステータス情報転送ステップと、
勤務管理サーバによって実行されるステップであって、
ステータス情報の転送を受けるステータス情報転送受信ステップと、
転送を受けたステータス情報に基づいてユーザ携帯端末の携帯者であるユーザが仕事中であるか、仕事外であるかの受付ステータスを格納する受付ステータス格納ステップと、
受け付けた受付ステータスに基づいてユーザ携帯端末の携帯者であるユーザが仕事中であるか、仕事外であるかを決定したステータスである結果ステータスを格納する結果ステータス格納ステップと、
からなる勤務管理システムの動作方法。
【請求項１４】
ユーザが携帯すべき勤務管理サーバ変更キック装置により実行されるステップであって、
ユーザ携帯端末と近距離無線方式で通信することで勤務管理サーバに保持されている受付ステータスを他のステータスに変更するための情報である変更情報を取得するための変更情報取得ステップと、
取得した変更情報をユーザ携帯端末に対して送信する変更情報送信ステップと、
ユーザ携帯端末によって実行されるステップであって、
送信された変更情報を受信する変更情報受信ステップと、
受信した変更情報を勤務管理サーバに転送する変更情報転送ステップと、
勤務管理サーバによって実行されるステップであって、
転送された変更情報を受信する転送変更情報受信ステップと、
受信した転送変更情報に基づいて保持されている受付ステータスを他のステータスに変更する受付ステータス変更ステップと、
からなる請求項１３に記載の勤務管理システムの動作方法。
【請求項１５】
ユーザが携帯すべき勤務管理サーバ更新キック装置により実行されるステップであって、
ユーザ携帯端末と近距離無線方式で通信することで勤務管理サーバに保持されている受付ステータスを更新するための情報である更新情報を取得するための更新情報取得ステップと、
取得した更新情報をユーザ携帯端末に対して送信する更新情報送信ステップと、
ユーザ携帯端末により実行されるステップであって、
送信された更新情報を受信する更新情報受信ステップと、
受信した更新情報を勤務管理サーバに転送する更新情報転送ステップと、
勤務管理サーバにより実行されるステップであって、
転送された更新情報を受信する転送更新情報受信ステップと、
受信した転送更新情報に基づいて保持されている受付ステータスを同じステータス又は他のステータスに更新する受付ステータス更新ステップと、
からなる請求項１３に記載の勤務管理システムの動作方法。
【請求項１６】
ユーザが携帯すべき勤務管理サーバ変更更新キック装置により実行されるステップであって、
ユーザ携帯端末と近距離無線方式で通信することで勤務管理サーバに保持されている受付ステータスを他のステータスに変更するための情報である変更情報を取得するための変更情報取得ステップと、
取得した変更情報をユーザ携帯端末に対して送信する変更情報送信ステップと、
ユーザ携帯端末と近距離無線方式で通信することで勤務管理サーバに保持されている受付ステータスを更新するための情報である更新情報を取得するための更新情報取得ステップと、
取得した更新情報をユーザ携帯端末に対して送信する更新情報送信ステップと、
ユーザ携帯端末により実行されるステップであって、
送信された変更情報を受信する変更情報受信ステップと、
受信した変更情報を勤務管理サーバに転送する変更情報転送ステップと、
送信された更新情報を受信する更新情報受信ステップと、
受信した更新情報を勤務管理サーバに転送する更新情報転送ステップと、
勤務管理サーバにより実行されるステップであって、
転送された変更情報を受信する転送変更情報受信ステップと、
受信した転送変更情報に基づいて保持されている受付ステータスを他のステータスに変更する受付ステータス変更ステップと、
転送された更新情報を受信する転送更新情報受信ステップと、
受信した転送更新情報に基づいて保持されている受付ステータスを同じステータス又は他のステータスに更新する受付ステータス更新ステップと、
からなる請求項１３に記載の勤務管理システムの動作方法。
【請求項１７】
勤務管理サーバにより実行されるステップであって、
受付ステータスに基づいて結果ステータスを決定するルールである結果ステータス決定ルール格納ステップと、
保持されている受付ステータスと、前記結果ステータス決定ルールとを用いて結果ステータスを判断する結果ステータス判断ステップと、
判断された結果ステータスを記録する結果ステータス記録ステップと、
からなる請求項１３から請求項１６のいずれか一に記載の勤務管理システムの動作方法。
【請求項１８】
保持されている結果ステータス決定ルールは、時刻、地理的情報、位置情報、カレンダー情報、仕事上利用する装置の稼働状況、ステータス情報発信装置識別情報、ユーザ識別情報、ユーザスケジュール情報のいずれか一以上である参酌情報を参酌するルールであり、
勤務管理サーバにより実行されるステップであって、参酌情報を取得する参酌情報取得ステップからなる請求項１７に記載の勤務管理システムの動作方法。
【請求項１９】
勤務管理サーバにより実行されるステップであって、
結果ステータスを強制的に変更する情報である結果ステータス強制変更情報を取得する結果ステータス強制変更情報取得ステップと、
取得した結果ステータス強制変更情報に基づいて結果ステータスを変更する結果ステータス強制変更ステップと、
からなる請求項１３から請求項１８のいずれか一に記載の勤務管理システムの動作方法。
【請求項２０】
仕事場所又は仕事外の場所に備えられるステータス情報発信装置により実行されるステップであって、近距離無線方式で少なくとも後記する勤務管理サーバにて仕事中又は仕事外のステータスを得るために利用されるＯＮ信号又はＯＦＦ信号を含むステータス情報を発信するステータス情報発信ステップと、
勤務者であるユーザが携帯すべきユーザ携帯端末により実行されるステップであって、
ステータス情報発信装置からのステータス情報を受信するステータス情報受信ステップと、
受信したステータス情報を後記勤務管理サーバに転送するステータス情報転送ステップと、
勤務管理サーバによって実行されるステップであって、
ステータス情報の転送を受けるステータス情報転送受信ステップと、
転送を受けたステータス情報に基づいてユーザ携帯端末の携帯者であるユーザが仕事中であるか、仕事外であるかの受付ステータスを格納する受付ステータス格納ステップと、
受け付けた受付ステータスに基づいてユーザ携帯端末の携帯者であるユーザが仕事中であるか、仕事外であるかを決定したステータスである結果ステータスを格納する結果ステータス格納ステップと、
を実行させるための勤務管理システムの動作プログラム。
【請求項２１】
ユーザが携帯すべき勤務管理サーバ変更キック装置により実行されるステップであって、
ユーザ携帯端末と近距離無線方式で通信することで勤務管理サーバに保持されている受付ステータスを他のステータスに変更するための情報である変更情報を取得するための変更情報取得ステップと、
取得した変更情報をユーザ携帯端末に対して送信する変更情報送信ステップと、
ユーザ携帯端末によって実行されるステップであって、
送信された変更情報を受信する変更情報受信ステップと、
受信した変更情報を勤務管理サーバに転送する変更情報転送ステップと、
勤務管理サーバによって実行されるステップであって、
転送された変更情報を受信する転送変更情報受信ステップと、
受信した転送変更情報に基づいて保持されている受付ステータスを他のステータスに変更する受付ステータス変更ステップと、
を実行する請求項２０に記載の勤務管理システムの動作プログラム。
【請求項２２】
ユーザが携帯すべき勤務管理サーバ更新キック装置により実行されるステップであって、
ユーザ携帯端末と近距離無線方式で通信することで勤務管理サーバに保持されている受付ステータスを更新するための情報である更新情報を取得するための更新情報取得ステップと、
取得した更新情報をユーザ携帯端末に対して送信する更新情報送信ステップと、
ユーザ携帯端末により実行されるステップであって、
送信された更新情報を受信する更新情報受信ステップと、
受信した更新情報を勤務管理サーバに転送する更新情報転送ステップと、
勤務管理サーバにより実行されるステップであって、
転送された更新情報を受信する転送更新情報受信ステップと、
受信した転送更新情報に基づいて保持されている受付ステータスを同じステータス又は他のステータスに更新する受付ステータス更新ステップと、
を実行する請求項２０に記載の勤務管理システムの動作プログラム。
【手続補正２】
【補正対象書類名】明細書
【補正対象項目名】００１６
【補正方法】変更
【補正の内容】
【００１６】
以下、本件発明の実施の形態について、添付図面を用いて説明する。なお、実施例と請求項の相互の関係は以下の通りである。実施例１は主に請求項１から３、１２、１３、１９、２０に関し、実施例２は主に請求項４から９、１４から１６、２１、２２に関し、実施例３は主に請求項１０、１１、１７、１８に関する。本件発明は、これら実施例に何ら限定されるべきものではなく、その要旨を逸脱しない範囲において、種々なる態様で実施し得る。